(57)【要約】  ビーム測定を実行するように構成された無線デバイスは、測定を報告するように無線デバイスを設定する測定報告パラメータを受信し、サービングセルまたはサービング周波数における隣接セルに対応する１つ以上のサービング周波数のそれぞれについて、維持されるべきビーム測定の数を決定する。無線デバイスは、セルごとに報告されるべきビームの最大数を示す１つ以上の測定報告パラメータに基づいて、維持されるべきビーム測定の数を決定する。無線デバイスは維持されるべきビーム測定の対応する決定数に従って、サービング周波数の各々についてのビーム測定を維持し、測定報告において報告する。【選択図】図４
2021520661.tif 000002
【特許請求の範囲】
【請求項１】
無線デバイス（５０）において、ビーム測定を実行する方法（４００）であって、
測定値を報告するために前記無線デバイス（５０）を設定する測定報告パラメータを受信すること（４０２）と、
サービングセルまたはサービング周波数における隣接セルに対応する１つ以上のサービング周波数のそれぞれに対して、維持されるべきビーム測定値の数を決定すること（４０４）であって、当該決定は、セルごとに報告されるべきビームの最大数を示す１つ以上の測定報告パラメータに基づく、ことと、
測定報告において報告するために、維持されるべきビーム測定値の前記対応する決定された数に従って、前記１つ以上のサービング周波数のそれぞれに対してビーム測定値を維持すること（４０６）、を含む方法（４００）。
【請求項２】
前記報告される測定値に対応するトリガに応答して、測定報告において、前記少なくとも１つのサービング周波数に対する前記維持されたビーム測定値のいくつかまたはすべてを報告することを更に含む、請求項１に記載の方法（４００）。
【請求項３】
前記トリガに応答して報告される、維持されたビーム測定値の数は、前記トリガに基づいて決定される、請求項２に記載の方法（４００）。
【請求項４】
前記決定すること（４０４）は、前記１つ以上のサービング周波数のうちの少なくとも第１のサービング周波数に対して、セルごとに報告されるべきビームの最大数を示すパラメータが１つ以上のサービング周波数のうちの少なくとも前記第１のサービング周波数に対して設定されていないことを決定することに応答して、維持されるべきビーム測定値がないことを決定することを含む、請求項１から３のいずれか１項に記載の方法（４００）。
【請求項５】
前記決定すること（４０４）は、前記１つ以上のサービング周波数のうちの少なくとも第１のサービング周波数に対して、セルごとに報告されるべきビームの最大数を示すパラメータが１つ以上のサービング周波数のうちの少なくとも前記第１のサービング周波数に対して非ゼロ値で設定されていることを決定することに応答して、少なくとも１つのビーム測定値が維持されるべきであることを決定することを含む、請求項１から３のいずれかに記載の方法（４００）。
【請求項６】
前記決定すること（４０４）は、前記１つ以上のサービング周波数のうちの少なくとも第１のサービング周波数に対して、セルごとに報告されるべきビームの最大数を示すパラメータと、報告されるべき数量を示すパラメータとが、１つ以上のサービング周波数のうちの少なくとも前記第１のサービング周波数に対して設定されていることを決定することに応答して、少なくとも１つのビーム測定値が維持されるべきであることを決定することを含む、請求項１から３のいずれかに記載の方法（４００）。
【請求項７】
前記１つ以上のサービング周波数のうちの前記第１のサービング周波数に対して維持されるべき前記少なくとも１つのビーム測定値は、参照信号受信電力（ＲＳＲＰ）測定値、および、参照信号受信品質（ＲＳＲＱ）測定値を含む、請求項５または６に記載の方法（４００）。
【請求項８】
信号対干渉雑音比（ＳＩＮＲ）トリガが前記１つ以上のサービング周波数のうちの前記第１のサービング周波数に対して設定されることを決定することに応答して、前記１つ以上のサービング周波数のうちの前記第１のサービング周波数に対するＳＩＮＲビーム測定値を維持することをさらに含む、請求項７に記載の方法（４００）。
【請求項９】
前記維持されるべきビーム測定値の数を決定すること（４０４）は、２つ以上の参照信号タイプのそれぞれに対して別々に実行される、請求項１から８のいずれか１項に記載の方法（４００）。
【請求項１０】
前記２つ以上の参照信号タイプは、チャネル状態情報参照シンボル（ＣＳＩ−ＲＳ）タイプ、および、同期信号／物理ブロードキャストチャネル（ＰＢＣＨ）タイプを含む、請求項９に記載の方法（４００）。
【請求項１１】
前記無線デバイス（５０）は、前記１つ以上のサービング周波数のうちの第１のサービング周波数に関連付けられた複数の測定設定を受信し、前記複数の測定設定のそれぞれは、パラメータを報告するためにそれぞれの最大数のビーム測定値を含み、前記方法（４００）は、前記１つ以上のサービング周波数のうちの前記第１のサービング周波数と前記２つ以上の参照信号タイプのうちの第１の参照信号タイプとに対して、前記２つ以上の参照信号タイプのうちの前記第１の参照信号タイプに関連付けられた測定設定について報告するために、前記最大数のビーム測定値を示すパラメータの中の第１の最大値を決定することによって、維持されるべきビーム測定値の数を決定することをさらに含む、請求項９または１０に記載の方法（４００）。
【請求項１２】
前記方法（４００）は、前記１つ以上のサービング周波数のうちの前記第１のサービング周波数と前記２つ以上の参照信号タイプのうちの前記第１の参照信号タイプとに対して、前記第１の最大値に等しい参照信号受信電力（ＲＳＲＰ）測定値と、前記第１の最大値に等しい参照信号受信品質（ＲＳＲＱ）測定値とを維持することをさらに含む、請求項１１に記載の方法（４００）。
【請求項１３】
前記方法（４００）は、前記１つ以上のサービング周波数のうちの前記第１のサービング周波数と前記２つ以上の参照信号タイプのうちの前記第１の参照信号タイプとに対して、前記２つ以上の参照信号タイプのうちの前記第１の参照信号タイプに関連付けられ、ＳＩＮＲトリガを含む前記測定設定のためのパラメータを報告するために前記最大値のビーム測定値のうちの第２の最大値を決定することによって、維持されるべき信号対干渉雑音比（ＳＩＮＲ）ビーム測定値の数を決定することをさらに含む、請求項１２に記載の方法（４００）。
【請求項１４】
１つ以上の非サービング周波数のそれぞれに対して、および、１つ以上の参照信号タイプのそれぞれに対して、前記それぞれの非サービング周波数に対応する測定設定に対して報告するために最大数のビーム測定値の中の第２の最大値を決定し、それぞれの参照信号タイプに対して測定報告を設定することによって、維持されるべきビーム測定の数を決定することをさらに含む、請求項１から１３のいずれか１項に記載の方法（４００）。
【請求項１５】
無線デバイス（５０）において、ビーム測定を実行するための方法（５００）であって、
測定値を報告するために無線デバイス（５０）を設定する測定報告パラメータを受信すること（５０２）と、
１つ以上の周波数のそれぞれに対して、前記周波数に関連付けられた前記測定報告パラメータのうちの１つがセルごとに報告されるべき最大数のビーム測定値を示し、前記周波数に関連付けられた前記測定報告パラメータのうちの別の１つが報告されるべき数量を示すことを決定することに応答して、測定報告において報告するために、前記周波数に対するビームごとに少なくとも１つの測定値を維持すること（５０４）と、を含む、方法（５００）。
【請求項１６】
維持されるべき少なくとも１つのビーム測定値は、参照信号受信電力（ＲＳＲＰ）測定、および、参照信号受信品質（ＲＳＲＱ）測定を含む、請求項１５に記載の方法（５００）。
【請求項１７】
前記決定は、２つ以上の参照信号タイプのそれぞれについて別々に実行される、請求項１５または１６に記載の方法（５００）。
【請求項１８】
前記２つ以上の参照信号タイプは、チャネル状態情報参照シンボル（ＣＳＩ−ＲＳ）タイプ、および、同期信号／物理ブロードキャストチャネル（ＰＢＣＨ）タイプを含む、請求項１７に記載の方法（５００）。
【請求項１９】
ビーム測定を実行するように構成された無線デバイス（５０）であって、
トランシーバ回路（５６）と、
トランシーバ回路（５６）と動作可能に関連付けられた処理回路（５２）とを備え、
前記処理回路（５２）は、
測定値を報告するために無線デバイス（５０）を設定する測定報告パラメータを受信し、
サービングセルまたはサービング周波数における隣接セルに対応する１つ以上のサービング周波数のそれぞれに対して、維持されるべきビーム測定値の数を決定し、ここで前記決定は、セルごとに報告されるべきビームの最大数を示す１つ以上の測定報告パラメータに基づき、
測定報告において報告するために、維持されるべきビーム測定値の前記対応する決定された数に従って、前記１つ以上のサービング周波数のそれぞれに対してビーム測定値を維持する、ように構成された処理回路（５２）と、を備える、無線デバイス（５０）。
【請求項２０】
前記処理回路（５２）は、前記報告される測定値に対応するトリガに応答して、測定報告において、前記少なくとも１つのサービング周波数に対する前記維持されたビーム測定値のいくつかまたはすべてを報告するように構成される、請求項１９に記載の無線デバイス（５０）。
【請求項２１】
前記トリガに応答して報告される、維持されたビーム測定値の数は、前記トリガに基づいて決定される、請求項２０に記載の無線デバイス（５０）。
【請求項２２】
前記処理回路（５２）は、前記１つ以上のサービング周波数のうちの少なくとも第１のサービング周波数に対して、セルごとに報告されるべきビームの最大数を示すパラメータが１つ以上のサービング周波数のうちの少なくとも前記第１のサービング周波数に対して設定されていないことを決定することに応答して、維持されるべきビーム測定値がないことを決定するように構成される、請求項１９から２１のいずれか１項に記載の無線デバイス（５０）。
【請求項２３】
前記処理回路（５２）は、前記１つ以上のサービング周波数のうちの少なくとも第１のサービング周波数に対して、セルごとに報告されるべきビームの最大数を示すパラメータが１つ以上のサービング周波数のうちの少なくとも前記第１のサービング周波数に対して非ゼロ値で設定されていることを決定することに応答して、少なくとも１つのビーム測定値が維持されるべきであることを決定するように構成される、請求項１９から２１のいずれか１項に記載の無線デバイス（５０）。
【請求項２４】
前記処理回路（５２）は、前記１つ以上のサービング周波数のうちの少なくとも第１のサービング周波数に対して、セルごとに報告されるべきビームの最大数を示すパラメータと、報告されるべき数量を示すパラメータとが、１つ以上のサービング周波数のうちの少なくとも前記第１のサービング周波数に対して設定されていることを決定することに応答して、少なくとも１つのビーム測定値が維持されるべきであることを決定するように構成される、請求項１９から２１のいずれか１項に記載の無線デバイス（５０）。
【請求項２５】
前記１つ以上のサービング周波数のうちの前記第１のサービング周波数に対して維持されるべき前記少なくとも１つのビーム測定値は、参照信号受信電力（ＲＳＲＰ）測定値、および、参照信号受信品質（ＲＳＲＱ）測定値を含む、請求項２３または２４に記載の無線デバイス（５０）。
【請求項２６】
前記処理回路（５２）は、信号対干渉雑音比（ＳＩＮＲ）トリガが前記１つ以上のサービング周波数のうちの前記第１のサービング周波数に対して設定されることを決定することに応答して、前記１つ以上のサービング周波数のうちの前記第１のサービング周波数に対するＳＩＮＲビーム測定値を維持するように構成される、請求項２５に記載の無線デバイス（５０）。
【請求項２７】
前記処理回路（５２）は、２つ以上の参照信号タイプのそれぞれに対して別々に実行されるべきビーム測定値の数を決定するするように構成される、請求項１９から２６のいずれか１項に記載の無線デバイス（５０）。
【請求項２８】
前記２つ以上の参照信号タイプは、チャネル状態情報参照シンボル（ＣＳＩ−ＲＳ）タイプ、および、同期信号／物理ブロードキャストチャネル（ＰＢＣＨ）タイプを含む、請求項２７に記載の無線デバイス（５０）。
【請求項２９】
前記無線デバイス（５０）は、前記１つ以上のサービング周波数のうちの第１のサービング周波数に関連付けられた複数の測定設定を受信し、前記複数の測定設定のそれぞれは、パラメータを報告するためにそれぞれの最大数のビーム測定値を含み、前記処理回路（５２）は、前記１つ以上のサービング周波数のうちの前記第１のサービング周波数と前記２つ以上の参照信号タイプのうちの第１の参照信号タイプとに対して、前記２つ以上の参照信号タイプのうちの前記第１の参照信号タイプに関連付けられた測定設定について報告するために、最大数のビーム測定値を示すパラメータの中の第１の最大値を決定することによって、維持されるべきビーム測定値の数を決定するように構成される、請求項２７または２８に記載の無線デバイス（５０）。
【請求項３０】
前記処理回路（５２）は、前記１つ以上のサービング周波数のうちの前記第１のサービング周波数と前記２つ以上の参照信号タイプのうちの前記第１の参照信号タイプとに対して、前記第１の最大値に等しい参照信号受信電力（ＲＳＲＰ）測定値と、前記第１の最大値に等しい参照信号受信品質（ＲＳＲＱ）測定値とを維持するするように構成される、請求項２９に記載の無線デバイス（５０）。
【請求項３１】
前記処理回路（５２）は、前記１つ以上のサービング周波数のうちの前記第１のサービング周波数と前記２つ以上の参照信号タイプのうちの前記第１の参照信号タイプとに対して、前記２つ以上の参照信号タイプのうちの前記第１の参照信号タイプに関連付けられ、ＳＩＮＲトリガを含む前記測定設定のためのパラメータを報告するために前記最大数のビーム測定値のうちの第２の最大値を決定することによって、維持されるべき信号対干渉雑音比（ＳＩＮＲ）ビーム測定値の数を決定するように構成される、請求項３０に記載の無線デバイス（５０）。
【請求項３２】
前記処理回路（５２）は、１つ以上の非サービング周波数のそれぞれについて、および、１つ以上の参照信号タイプのそれぞれに対して、前記それぞれの非サービング周波数に対応する測定設定に対して報告するために最大数のビーム測定値の中の第２の最大値を決定し、それぞれの参照信号タイプに対して測定報告を設定することによって、維持されるべきビーム測定の数を決定するように構成される、請求項１９から３１のいずれか１項記載の無線デバイス（５０）。
【請求項３３】
ビーム測定を実行するように構成された無線デバイス（５０）であって、
トランシーバ回路（５６）と、
トランシーバ回路（５６）と動作可能に関連付けられた処理回路（５２）とを備え、
前記処理回路（５２）は、
測定値を報告するために無線デバイス（５０）を設定する測定報告パラメータを受信し、
１つ以上の周波数のそれぞれに対して、前記周波数に関連付けられた前記測定報告パラメータのうちの１つがセルごとに報告されるべき最大数のビーム測定値を示し、前記周波数に関連付けられた前記測定報告パラメータのうちの別の１つが報告されるべき数量を示すことを決定することに応答して、測定報告において報告するために、前記周波数に対するビームごとに少なくとも１つの測定値を維持する、ように構成された処理回路（５２）と、を備える、無線デバイス（５０）。
【請求項３４】
維持されるべき少なくとも１つのビーム測定値は、参照信号受信電力（ＲＳＲＰ）測定、および、参照信号受信品質（ＲＳＲＱ）測定を含む、請求項３３に記載の無線デバイス（５０）。
【請求項３５】
前記処理回路（５２）は、前記測定報告パラメータのうちの１つが、セルごとに報告されるべき最大数のビーム測定値を示し、前記測定報告パラメータのうちの他の１つが、２つ以上の参照信号タイプのそれぞれについて別々に報告されるべき数量を示すかどうかを決定するように構成される、請求項３３または３４に記載の無線デバイス（５０）。
【請求項３６】
前記２つ以上の参照信号タイプは、チャネル状態情報参照シンボル（ＣＳＩ−ＲＳ）タイプ、および、同期信号／物理ブロードキャストチャネル（ＰＢＣＨ）タイプを含む、請求項３５に記載の無線デバイス（５０）。
【請求項３７】
ビーム測定を実行するように構成された無線デバイス（５０）であって、請求項１から１８のいずれかの１項に記載の方法（４００、５００）を実行するように適合された無線デバイス（５０）。
【請求項３８】
ビーム測定を実行するように構成された無線デバイス（５０）の少なくとも１つの処理回路（５２）において実行されたときに、前記無線デバイス（５０）を、
測定値を報告するために前記無線デバイス（５０）を設定する測定報告パラメータを受信し、
サービングセルまたはサービング周波数における隣接セルに対応する１つ以上のサービング周波数のそれぞれに対して、維持されるべきビーム測定値の数を決定し、ここで、当該決定は、セルごとに報告されるべきビームの最大数を示す１つ以上の測定報告パラメータに基づき、
測定報告において報告するために、維持されるべきビーム測定値の前記対応する決定された数に従って、前記１つ以上のサービング周波数のそれぞれに対してビーム測定値を維持する、ように構成するプログラム命令を含むコンピュータプログラム（６６）を記憶する非一時的なコンピュータ可読記憶媒体（６４）。
【請求項３９】
ビーム測定を実行するように構成された無線デバイス（５０）の少なくとも１つの処理回路（５２）において実行されたときに、無線デバイス（５０）を、
測定値を報告するために無線デバイス（５０）を設定する測定報告パラメータを受信し、
１つ以上の周波数のそれぞれに対して、前記周波数に関連付けられた測定報告パラメータのうちの１つがセルごとに報告されるべき最大数のビーム測定値を示し、前記周波数に関連付けられた前記測定報告パラメータのうちの別の１つが報告されるべき数量を示すことを決定することに応答して、測定報告において報告するために、前記周波数に対するビームごとに少なくとも１つの測定値を維持する、ように構成するプログラム命令を含むコンピュータプログラム（６６）を記憶する非一時的なコンピュータ可読記憶媒体（６４）。
【請求項４０】
少なくとも１つの処理回路（５２）において実行されると、前記少なくとも１つの処理回路（５２）に、請求項１から１８のいずれか１項に記載の方法（４００、５００）を実行させる命令を含む、コンピュータプログラム製品（６６）。
【請求項４１】
請求項４０に記載のコンピュータプログラム製品（６６）を含むキャリアであって、前記キャリアは、電気信号、光信号、無線信号、またはコンピュータ可読記憶媒体（６４）のうちの１つである、キャリア。
【請求項４２】
ビーム測定を実行するように構成された無線デバイス（５０）であって、
測定値を報告するために無線デバイス（５０）を設定する測定報告パラメータを受信するための受信モジュール（１３０２）と、
サービングセルまたはサービング周波数における隣接セルに対応する１つ以上のサービング周波数のそれぞれに対して、維持されるべきビーム測定値の数を決定するための決定モジュール（１３０４）であって、当該決定は、セルごとに報告されるべきビームの最大数を示す１つ以上の測定報告パラメータに基づく、前記決定モジュールと、
測定報告において報告するために、維持されるべきビーム測定値の前記対応する決定された数に従って、前記１つ以上のサービング周波数のそれぞれに対してビーム測定値を維持するための維持モジュール（１３０６）と、を備える無線デバイス（５０）。
【請求項４３】
ビーム測定を実行するように構成された無線デバイス（５０）であって、
測定値を報告するために無線デバイス（５０）を設定する測定報告パラメータを受信するための受信モジュール（１３０２）と、
１つ以上の周波数のそれぞれに対して、前記周波数に関連付けられた測定報告パラメータのうちの１つがセルごとに報告されるべき最大数のビーム測定値を示し、前記周波数に関連付けられた前記測定報告パラメータのうちの別の１つが報告されるべき数量を示すことを決定することに応答して、測定報告において報告するために、前記周波数に対するビームごとに少なくとも１つの測定値を維持するための維持モジュール（１３０６）と、を備える無線デバイス（５０）。
【発明の詳細な説明】
【技術分野】
【０００１】
本開示は一般に、無線通信システムに関し、より詳細には、そのようなシステムにおいてビーム測定を実行することに関する。
【背景技術】
【０００２】
Ｎｅｗ  Ｒａｄｉｏ（ＮＲ）は、図１に示されるようなカバレッジを提供するためにビームフォーミングに依存することが広く受け入れられている。これは、ＮＲがしばしばビームベースシステムと呼ばれることを意味する。所与の送信ポイント（ＴＲＰ（tranmission point））／アクセスノード／アンテナアレイにおいて良好なビーム方向を見つけるために、ビーム掃引手順が通常用いられる。典型的なビーム掃引手順では、ノードが同期信号および／またはビーム識別信号を含むビームを、いくつかの可能な方向のそれぞれに、一度に１つ以上の方向に向ける。これは図２に示されており、図示されている各ローブはビームを表しており、ビームは連続的に、掃引方式で、または同時に、または何らかの組み合わせで送信され得る。同じカバレッジ特性が各ビームにおける同期信号とビーム識別信号の両方に適用される場合、ＵＥはＴＲＰに同期するだけでなく、所与の位置で最良のビーム知識を得ることができる。
【０００３】
ＮＲでは、測定報告をトリガしたセルについてビーム測定値を報告するようにＵＥを構成することができることが合意されている。ＮＲ仕様では、ビーム（ＢＥＡＭ）という用語がビームフォーミングされた参照信号（ＲＳ（reference signal））を指すために使用され、ＲＳはチャネル状態情報ＲＳ（ＣＳＩ（channel state information）−ＲＳ）または同期信号（synchronization signal）／公衆ブロードキャストチャネル（public broadcast channel）（ＳＳ／ＰＢＣＨブロック）、またはＳＳＢのいずれかとすることができる。次いで、ビームインデックスは、ＲＳインデックスとして仕様書で参照することもできる。
【０００４】
ＴＳ ３８．３３１ ＮＲ無線リソース制御（ＲＲＣ（radio resource control））仕様によれば、ネットワークは、ＳＳ／ＰＢＣＨブロックごとの測定結果、ＳＳ／ＰＢＣＨブロックに基づくセルごとの測定結果、またはＳＳ／ＰＢＣＨブロックインデックスなど、ＳＳ／ＰＢＣＨブロックに基づいて測定情報を報告するようにＵＥを構成することができる。
【０００５】
ネットワークは、ＣＳＩ−ＲＳリソースあたりの測定結果、ＣＳＩ−ＲＳリソースに基づくセルあたりの測定結果、またはＣＳＩ−ＲＳリソース測定識別子を含む、ＣＳＩ−ＲＳリソースに基づいて測定情報を報告するＵＥを設定することができる。
【０００６】
測定設定（構成）は、測定対象（ＭＯ（measurement objects））、報告設定（構成）、および／または測定アイデンティティなどのパラメータを含む。ＭＯは、ＵＥが測定を実行する対象（オブジェクト）のリストである。周波数内および周波数間測定では、測定対象がＮＲキャリア周波数に関連付けられる。このＮＲキャリア周波数に関連して、ネットワークはセル固有のオフセットのリスト、「ブラックリストされた」セルのリスト、および「ホワイトリストされた」セルのリストを構成することができる。ブラックリストされたセルは、イベント評価または測定報告に適用可能ではない。ホワイトリストされたセルは、イベント評価または測定報告に適用可能なセルのみである。ＵＥは、サービングセル設定内のServingCellConfigCommonにおけるfrequencyInfoDLから、どのＭＯが各サービングセル周波数に対応するかを決定する。ＲＡＴ間Ｅ−ＵＴＲＡ測定のために、測定対象は単一のＥ−ＵＴＲＡキャリア周波数である。ＲＡＴ間Ｅ−ＵＴＲＡ測定のために、測定対象は単一のＥ−ＵＴＲＡキャリア周波数である。このＥ−ＵＴＲＡキャリア周波数に関連して、ネットワークは、セル固有のオフセットのリスト、「ブラックリストされた」セルのリスト、および「ホワイトリストされた」セルのリストを構成することができる。
【０００７】
測定対象ごとに１つ以上の報告設定を有する報告設定のリストが存在し得る。各報告設定は、報告基準、ＲＳタイプ、または報告形式（フォーマット）で構成される。報告基準は、測定報告を送信するようにＵＥをトリガする基準である。これは、周期的なものであってもよいし、単一のイベント記述であってもよい。ＲＳタイプは、ＵＥがビームおよびセルの測定結果（ＳＳ／ＰＢＣＨブロックまたはＣＳＩ−ＲＳ） に使用するＲＳである。報告形式に関しては、ＵＥが参照信号受信電力（ＲＳＲＰ（reference signal received power））などの測定報告に含めるセル当たりおよび／またはビーム当たりの量、ならびにセルの最大数および報告するセル当たりの最大ビーム数などの他の関連情報。
【０００８】
測定アイデンティティのリストがあってもよく、各測定アイデンティティは、１つの測定対象を１つの報告設定にリンクする。複数の測定アイデンティティを設定することによって、複数の測定対象を同じ報告設定にリンクすること、ならびに複数の報告設定を同じ測定対象にリンクすることが可能である。測定アイデンティティはまた、報告をトリガした測定報告に含まれ、ネットワークへの参照として機能する。
【０００９】
reportConfigNRには、以下（reportConfigNRのＡＳＮ.１セクション）に示すように、ビーム報告に関連する、現在のＲＲＣ仕様で定義された２つのパラメータがある:
--ＲＳインデックス報告設定（RS index reporting configuration）
reportQuantityRsIndexes  MeasReportQuantity OPTIONAL（オプション）,-- Need M
maxNrofRSIndexesToReport     INTEGER（整数）
(1..maxNrofIndexesToReport)                 OPTIONAL（オプション）,-- Need M
includeBeamMeasurements      BOOLEAN（ブーリアン）,
-- 設定されている場合、ＵＥはサービング周波数ごとの最良な隣接セルを含む
【００１０】
３ＧＰＰ ＴＳ ３８．３３１のバージョン１５．０．０では、フィールドmaxNrofRsIndexesToReportが、Ａ１〜Ａ６イベントの測定報告に含めるＲＳインデックス当たりの測定情報の最大数として定義される。reportQualityRsIndexesは、ＵＥがどのＲＳインデックスごとの測定情報を測定報告に含めるかを示す。
【００１１】
また、これらのパラメータに関連する、特にサービング周波数上の測定に関連するＵＥ動作の説明において、以下の説明は、ＲＲＣ仕様３８．３３１に見られる:
5.5.3  測定の実行
5.5.3.1  一般事項
... 
ＵＥは、以下のことを行う:
1＞  ＵＥがmeasConfigを有するときはいつでも、以下のように各サービングセルについてＲＳＲＰおよびＲＳＲＱ測定を実行する:
2＞  VarMeasConfig内のmeasIdListに含まれる少なくとも１つのmeasIdがssに設定されたrsTypeを含む場合:
3＞  VarMeasConfig内のmeasIdListに含まれる少なくとも１つのmeasIdがreportQuantityRsIndexesを含む場合:
4＞  5.5.3.3に記載されているように、、ＳＳ／ＰＢＣＨブロックに基づいて、サービングセルに対するレイヤ３フィルタリングされたＲＳＲＰおよびＲＳＲＱをビームごとに導出する;
3＞  5.5.3.3に記載されているように、ＳＳ／ＰＢＣＨブロックに基づいて、サービングセル測定結果を導出する;
2＞  VarMeasConfig内のmeasIdListに含まれる少なくとも１つのmeasIdがcsi-rsに設定されたrsTypeを含む場合:
3＞  VarMeasConfig内のmeasIdListに含まれる少なくとも１つのmeasIdがreportQuantityRsIndexesを含む場合:
4＞  5.5.3.3に記載されているように、ＣＳＩ−ＲＳに基づいて、サービングセルに対するレイヤ３フィルタリングされたＲＳＲＰおよびＲＳＲＱをビームごとに導出する;
3＞  5.5.3.3に記載されているように、ＣＳＩ−ＲＳに基づいて、サービングセル測定結果を導出する;
1＞  VarMeasConfig内のmeasIdListに含まれる少なくとも１つのmeasIdがトリガ数量および／または報告数量としてＳＩＮＲを含む場合:
2＞  関連するreportConfigがssに設定されたrsTypeを含む場合:
3＞  measIdがreportQuantityRsIndexesを含む場合:
4＞  5.5.3.3に記載されているように、ＳＳ／ＰＢＣＨブロックに基づいて、サービングセルに対するレイヤ３フィルタリングされたＳＩＮＲをビームごとに導出する;
3＞  5.5.3.3に記載されているように、ＳＳ／ＰＢＣＨブロックに基づいて、サービングセルＳＩＮＲを導出する;
2＞  関連するreportConfigがcsi-rsに設定されたrsTypeを含む場合:
3＞  measIdがreportQuantityRsIndexesを含む場合:
4＞  5.5.3.3に記載されているように、ＣＳＩ−ＲＳに基づいて、サービングセルに対するレイヤ３フィルタリングされたＳＩＮＲをのビームごとに導出する;
3＞  5.5.3.3に記載されているように、ＣＳＩ−ＲＳに基づいて、サービングセルＳＩＮＲを導出する;
【発明の概要】
【００１２】
本発明の実施形態は、無線デバイス（例えば、ＵＥ）がネットワークによって設定された１つ以上の報告パラメータを読み取り、セルごとに測定されるべきビームの数を識別することができる技術を含む。
【００１３】
ある一組の実施形態では、これらのビーム測定（値）は、サービング周波数に関連付けられる。これらは、サービング周波数において、サービングセルまたは最良の隣接セルのいずれかであり得る。
【００１４】
別の一組の実施形態では、ビームの数は、ＲＳタイプ（ＳＳＢ、ＣＳＩ−ＲＳ等）ごと、及び、ＵＥによって測定され維持されるべき数量（例えば、ＲＳＲＰ、参照信号受信品質（ＲＳＲＱ（reference signal received quality））、信号対干渉雑音比（ＳＩＮＲ（signal to interference plus noise ratio））、これらの組み合わせ等）ごとに決定される。この文脈において、維持されるとは、これらのビーム測定値がＬ３フィルタリングされ、これらの報告がトリガされたとき／トリガされた場合に、測定報告に含まれることを意味する。
【００１５】
実施形態に開示された方法を適用することによって、問題を回避することができる。例えば、測定報告をトリガしたイベントは、報告されるべきセル当たりのビームの数（Ｘ１）を示した。しかしながら、維持するサービング周波数のためのビーム測定の最大数を規定する規則がなかったので、ＵＥはその測定複雑性を低減するために、任意に低い値を使用することを決定した。したがって、ＵＥは最大値を報告することができず、ネットワークはＵＥがサービング周波数におけるセルについてＸ１ビームを超えて検出しなかったと解釈することができる。ハンドオーバ決定は、セル当たりのビームの数及びそれらの測定情報に依存し得るので、ハンドオーバ性能は悪影響を受け得る。
【００１６】
測定報告をトリガしたイベントは、報告されるべきビームの数（Ｘ２）を示した。しかしながら、維持するサービングセルのためのビーム測定（値）の最大数を定義する規則はなかったので、ＵＥは報告に関する要件に確実に対処できるようにするために、任意の高い値を使用することを決定した。したがって、ＵＥは示された最大値を、ネットワークにおいて解釈の問題なしに報告することができるが、コストはＵＥに必要なものよりも高くなる。
【００１７】
実施形態は（不必要なレベルへの複雑さの増加を回避することによって）ハンドオーバ性能を改善し、ＵＥの複雑さを最小限に抑える可能性を有する。
【００１８】
いくつかの実施形態によれば、ビーム測定を実行するための無線デバイスにおける方法は、測定を報告するために無線デバイスを設定する測定報告パラメータを受信することを含む。方法は、サービングセルまたはサービング周波数における隣接セルに対応する１つ以上のサービング周波数のそれぞれに対して、維持されるべきビーム測定値の数を決定することを含み、当該決定は、セルごとに報告されるべきビームの最大数を示す１つ以上の測定報告パラメータに基づく。方法は、測定報告で報告するために、維持されるべきビーム測定値の対応する決定された数に従って、１つ以上のサービング周波数のそれぞれについてビーム測定値を維持することを更に含む。
【００１９】
いくつかの実施形態によれば、ビーム測定を実行するように構成された無線デバイスは、トランシーバ回路と、該トランシーバ回路と動作可能に関連付けられた処理回路を備える。処理回路は、測定値を報告するために無線デバイスを設定する測定報告パラメータを受信し、サービングセルまたはサービング周波数における隣接セルに対応する１つ以上のサービング周波数のそれぞれに対して、維持されるべきビーム測定値の数を決定するように構成され、決定は、セルごとに報告されるべきビームの最大数を示す１つ以上の測定報告パラメータに基づく。処理回路はまた、測定報告において報告するために、維持されるべきビーム測定値の対応する決定された数に従って、１つ以上のサービング周波数のそれぞれについてのビーム測定値を維持するように構成される。
【００２０】
いくつかの実施形態によれば、ビーム測定を実行するための無線デバイスにおける方法は、測定値を報告するために無線デバイスを設定する測定報告パラメータを受信することと、１つ以上の周波数のそれぞれに対して、周波数に関連付けられた測定報告パラメータのうちの１つがセルごとに報告されるべき最大数のビーム測定値を示し、周波数に関連付けられた測定報告パラメータのうちの別の１つが報告されるべき数量を示すことを決定することに応答して、測定報告において報告するために、サービングセルの１つ以上のサービング周波数についてビームごとに少なくとも１つの測定値を維持することとを含む。
【００２１】
いくつかの実施形態によれば、ビーム測定を実行するように構成された無線デバイスは、トランシーバ回路（送受信器回路）と、該トランシーバ回路と動作可能に関連付けられた処理回路とを含む。処理回路は測定値を報告するために無線デバイスを設定する測定報告パラメータを受信し、１つ以上の周波数のそれぞれに対してて、周波数に関連付けられた測定報告パラメータのうちの１つがセルごとに報告されるべき最大数のビーム測定値を示し、周波数に関連付けられた測定報告パラメータのうちの別の１つが報告されるべき数量を示すことを決定することに応答して、測定報告において報告するために、サービングセルの１つ以上のサービング周波数についてビームごとに少なくとも１つの測定値を維持するように構成される。
【００２２】
本発明の更なる態様は、上記に要約された方法に対応する装置、コンピュータプログラム製品、またはコンピュータ可読記憶媒体、ならびに上記に要約された装置および無線デバイスの機能的実装を対象とする。
【００２３】
もちろん、本発明は上記の特徴および利点に限定されない。当業者は、以下の詳細な説明を読み、添付の図面を見れば、更なる特徴および利点を認識するであろう。
【図面の簡単な説明】
【００２４】
【図１】図１は、ビームフォーミングを示す。
【図２】図３は、ビーム掃引手順を示す。
【図３】図３は、いくつかの実施形態による、無線デバイスのブロック図を示す。
【図４】図４は、いくつかの実施形態による、無線デバイスにおける方法を示す。
【図５】図５は、いくつかの実施形態による、無線デバイスにおける別の方法を示す。
【図６】図６は、いくつかの実施形態による、ネットワークノードのブロック図を示す。
【図７】図７は、いくつかの実施形態による、中間ネットワークを介してホストコンピュータに接続された電気通信ネットワークを概略的に示す。
【図８】図８は、いくつかの実施形態による、基地局を介して部分無線接続を介してユーザ機器と通信するホストコンピュータの一般化されたブロック図である。
【図９】、
【図１０】、
【図１１】、
【図１２】図９〜図１２は、ホストコンピュータ、基地局、およびユーザ装置を含む通信システムにおいて実施される例示的な方法を示すフローチャートである。
【図１３】図１３は、いくつかの実施形態による、無線デバイスの機能的実装を示すブロック図である。
【発明を実施するための形態】
【００２５】
以下では、本発明の例示的な実施形態による概念を、添付の図面を参照しながらより詳細に説明する。例示された実施形態は、以下ではＵＥとも呼ばれる、無線デバイス、及び、アクセスノードによって実行される、そのような無線通信ネットワークにおける無線リンク監視に関する。無線通信ネットワークは、例えば、ＬＴＥ ＲＡＴまたは３ＧＰＰ Ｎｅｗ Ｒａｄｉｏ（ＮＲ）の発展などの５Ｇ無線アクセス技術（ＲＡＴ（radio access technology））に基づき得る。しかしながら、図示の概念は他のＲＡＴにも適用可能であることを理解されたい。
【００２６】
ビーム報告を制御するが、ＵＥがどのようにビーム測定を実行するかは制御しない、２つのパラメータが存在する。３ＧＰＰ ＴＳ ３８．３３１のバージョン１５．０．０における１つのパラメータは、maxNrofRsIndexesToReportであり、これは、このバージョンの標準において、Ａ１〜Ａ６イベントに対する測定報告に含めるためのＲＳインデックス当たりの測定情報の最大数として定義された。別のパラメータはreportQuantityRsIndexesであり、これは、ＵＥが測定報告に含めるべきＲＳインデックス当たりの測定情報を示す。仕様書のバージョン１５．０．０は、これらのパラメータをオプションとして定義し、手順のテキストはこれらが構成されていないときのＵＥ動作を定義しない、そしてこれは異なる方法で問題となることがある。
【００２７】
第１の問題は、仕様において、ビーム測定値がＬ３フィルタリングされなければならず、それに関連するメモリ／複雑性コストが存在することである。仕様書のバージョン１５．０．０の規則では、ＳＳＢに対して次のように記述されている:
2＞  VarMeasConfig内のmeasIdListに含まれる少なくとも１つのmeasIdがssに設定されたrsTypeを含む場合:
3＞  VarMeasConfig内のmeasIdListに含まれる少なくとも１つのmeasIdがreportQuantityRsIndexesを含む場合:
4＞  5.5.3.3に記載されているように、ＳＳ／ＰＢＣＨブロックに基づいて、サービングセルに対するレイヤ３フィルタリングされたＲＳＲＰおよびＲＳＲＱをビームごとに導出する;
【００２８】
この仕様は、ＵＥが測定を実行するサービングセルのためのビームの数を指定せず、その結果、ＵＥは、それが維持する必要があるＬ３フィルタリングされたビーム測定の数、またはそのＲＳタイプ（ＳＳＢ）のためのビーム測定の数を知らない。ＵＥはまた、測定報告がトリガされるときに、ＵＥがビーム測定を利用可能にするために測定を実行する必要がある、reportQuantityRsIndexesに示される数量を知らない。したがって、サービングセルのためのビーム情報を報告するための既存の規則もまた、それらのフィールド記述に示されるように、これらのパラメータを使用することを考慮すると、パフォーマンスの問題が発生する可能性があり、コストは、ＵＥのために必要とされるよりも高くなり得る。
【００２９】
本発明の実施形態は、ＵＥがネットワークによって構成（設定）された１つ以上の報告パラメータを読み取り、（特定のタイプのセルに対して）セルごとに測定されるべきビームの数を識別することを可能にする。ある一組の実施形態では、これらのビーム測定値がサービング周波数上のセルに関連付けられる。これらは、サービング周波数において、サービングセルまたは最良の隣接セルのいずれかであり得る。別のセットの実施形態では、ネットワークによって設定された報告パラメータは、ＵＥによって測定され、維持されるべきＲＳタイプ当たりのビームの数、および数量当たりのビームの数をさらに示し得る。この文脈において、維持されるとは、これらのビーム測定値がＬ３フィルタリングされ、これらの報告がトリガされたとき／トリガされた場合に、測定報告に含まれることを意味する。
【００３０】
次の実施形態では、ビーム測定値は、ｉ)ＲＳＲＰ、ｉｉ)ＲＳＲＱ、ｉｉｉ)ＳＩＮＲ、ｉｉｉ）低ＲＳＲＰおよびＲＳＲＱの両方、ｉｖ）低ＲＳＲＰおよびＳＩＮＲの両方、ｖ）ＲＳＲＱおよびＳＩＮＲの両方、ｖｉ)低ＲＳＲＰ、ＲＳＲＱおよびＳＩＮＲを参照することができる。
【００３１】
次の実施形態では、ＲＳタイプは、ｉ)ＳＳＢ、ｉｉ)ＣＳＩ−ＲＳ、ｉｉｉ）ＳＳＢおよびＣＳＩ−ＲＳの両方であることができる。
【００３２】
第１の実施形態では、ＵＥがセルあたりに報告されるべきビームの最大数を定義する第２のパラメータが設定されている場合にのみ、ビーム測定（例えば、サービング周波数上のセルに対して）を実行する。３８．３３１ バージョン１５．０．０以降のＮＲ仕様書のバージョンでは、これはmaxNrofRSIndexesToReport と呼ぶことができる。これは、バージョン１５．０．０で使用されたものとは異なるmaxNrofRSIndexesToReportの定義であることに注意する。報告すべき数量を示す唯一のパラメータが設定されている場合（reportQuantityRsIndexes）、ＵＥはビーム測定を実行しない。言い換えれば、両方とも、ＵＥがビーム測定を実行することを示すように設定されなければならない。
【００３３】
一例では、ＵＥに設定された少なくとも１つの測定識別子が、ｉ）セルごとに報告されるべきビームの最大数（例えば、後のＮＲ仕様で定義されるmaxNrofRSIndexesToReportフィールド）と、ｉｉ）報告されるべき数量（例えば、ＮＲ仕様で定義されるreportQuantityRsIndexesフィールド）を表す（すなわち、設定されている）両方のパラメータを有するreportConfigに関連付けられている場合に、当該ＵＥは、サービング周波数に対してビーム測定を実行する。この第１の例は、現在のＮＲ仕様の場合であるＲＲＣシグナリングにおいて両方のパラメータがオプションとして定義される場合に適しており、maxNrofRSIndexesToReportが１から始まる値で定義される場合に適している。
【００３４】
この実施形態では、規則はＲＳタイプごとに適用することができる。つまり、各reportConfigは、ＳＳＢまたはＣＳＩ−ＲＳのいずれかのＲＳタイプに関連付けられる。
【００３５】
ＵＥに設定された少なくとも１つの測定識別子が、ＳＳＢとしてＲＳタイプ、かつ、ｉ）セルごとに報告されるべきビームの最大数（例えば、後のＮＲ仕様で定義されるmaxNrofRSIndexesToReportフィールド）と、ｉｉ）報告されるべき数量（例えば、ＮＲ仕様で定義されるreportQuantityRsIndexesフィールド）を表す（すなわち、設定されている）両方のパラメータを有するreportConfigに関連付けられている場合に、ＵＥは、ＳＳＢビーム測定のために、この第１の例における前の規則を適用することができる。
【００３６】
ＵＥに設定された少なくとも１つの測定識別子が、ＣＳＩ−ＲＳとしてＲＳタイプ、かつ、ｉ）セルごとに報告されるべきビームの最大数（例えば、後のＮＲ仕様で定義されるmaxNrofRSIndexesToReportフィールド）と、ｉｉ）報告されるべき数量（例えば、ＮＲ仕様で定義されるreportQuantityRsIndexesフィールド）を表す（すなわち、設定されている）両方のパラメータを有するreportConfigに関連付けられている場合に、ＵＥは、ＣＳＩ−ＲＳビーム測定のために、この実施形態の第１の例における前の規則を適用する。
【００３７】
第２の実施形態では、ビーム測定のために常に測定されるわけではない数量が存在し得る。例えば、第１の実施形態の規則が満たされる場合、ＵＥは常に、サービング周波数（すなわち、サービングセルおよび／またはサービング周波数上の最良の隣接セル）に対してＲＳＲＰおよびＲＳＲＱビーム測定を実行するが、追加の規則はＳＩＮＲビーム測定に適用される。したがって、両方のパラメータが少なくとも１つの測定識別子（セルごとに報告されるべきビームの最大数（例えば、maxNrofRSIndexesToReportフィールド））、および報告されるべき数量（例えば、後のＮＲ仕様で定義されるようなreportQuantityRsIndexesフィールド）に対して設定され、その同じ測定識別子もまた、ＳＩＮＲトリガ数量または測定数量を有する場合、ＵＥは、サービング周波数に対してＳＩＮＲビーム測定を実行する。この提案された規則はまた、設定可能であり、仕様において後に追加される任意の追加数量、例えば、受信信号強度インジケータ（ＲＳＳＩ）にも適用することができる。
【００３８】
ＲＲＣ仕様の変更は、以下のように実装することができる:
ＵＥは、以下のことを行う:
1＞  ＵＥがmeasConfigを有するときはいつでも、以下のように各サービングセルについてＲＳＲＰおよびＲＳＲＱ測定を実行する:
2＞  VarMeasConfig内のmeasIdListに含まれる少なくとも１つのmeasIdがssbに設定されたrsTypeを含む場合:
3＞  VarMeasConfig内のmeasIdListに含まれる少なくとも１つのmeasIdがreportQuantityRsIndexesとmaxNrofRsIndexesToReportを含む場合:
4＞  5.5.3.3aに記載されているように、、ＳＳ／ＰＢＣＨブロックに基づいて、サービングセルに対するレイヤ３フィルタリングされたＲＳＲＰおよびＲＳＲＱをビームごとに導出する;
3＞  5.5.3.3に記載されているように、ＳＳ／ＰＢＣＨブロックに基づいて、サービングセル測定結果を導出する;
2＞  VarMeasConfig内のmeasIdListに含まれる少なくとも１つのmeasIdがcsi-rsに設定されたrsTypeを含む場合:
3＞  VarMeasConfig内のmeasIdListに含まれる少なくとも１つのmeasIdがreportQuantityRsIndexesとmaxNrofRsIndexesToReportを含む場合:
4＞  5.5.3.3aに記載されているように、ＣＳＩ−ＲＳに基づいて、サービングセルに対するレイヤ３フィルタリングされたＲＳＲＰおよびＲＳＲＱをビームごとに導出する;
3＞  5.5.3.3に記載されているように、ＣＳＩ−ＲＳに基づいて、サービングセル測定結果を導出する;
1＞  VarMeasConfig内のmeasIdListに含まれる少なくとも１つのmeasIdがトリガ数量および／または報告数量としてＳＩＮＲを含む場合:
2＞  関連するreportConfigがssbに設定されたrsTypeを含む場合:
3＞  measIdがreportQuantityRsIndexesとmaxNrofRsIndexesToReportを含む場合:
4＞  5.5.3.3aに記載されているように、ＳＳ／ＰＢＣＨブロックに基づいて、サービングセルに対するレイヤ３フィルタリングされたＳＩＮＲをビームごとに導出する;
3＞  5.5.3.3に記載されているように、ＳＳ／ＰＢＣＨブロックに基づいて、サービングセルＳＩＮＲを導出する;
2＞  関連するreportConfigがcsi-rsに設定されたrsTypeを含む場合:
3＞  measIdがreportQuantityRsIndexesとmaxNrofRsIndexesToReportを含む場合:
4＞  5.5.3.3aに記載されているように、ＣＳＩ−ＲＳに基づいて、サービングセルに対するレイヤ３フィルタリングされたＳＩＮＲをのビームごとに導出する;
3＞  5.5.3.3に記載されているように、ＣＳＩ−ＲＳに基づいて、サービングセルＳＩＮＲを導出する;
【００３９】
第２の実施形態のさらに別の変形例では、セル当たりに報告すべきビームの最大回数を決定するパラメータ（例えば、maxNrofRSIndexesToReport）は、ネットワークによってゼロに設定することができる。その意味で、たとえパラメータが設定されたとしても、ＵＥがビーム測定を実行することは確実ではない。したがって、その場合の追加の規則は、maxNrofRSIndexesToReportが設定され、０（ゼロ）に設定されていないことである。仕様テキストはその変形例を実装するために、以下のように修正することができる:
ＵＥは、以下のことを行う:
1＞  ＵＥがmeasConfigを有するときはいつでも、以下のように各サービングセルについてＲＳＲＰおよびＲＳＲＱ測定を実行する:
2＞  VarMeasConfig内のmeasIdListに含まれる少なくとも１つのmeasIdがssbに設定されたrsTypeを含む場合:
3＞  VarMeasConfig内のmeasIdListに含まれる少なくとも１つのmeasIdがreportQuantityRsIndexesと０より高く設定したmaxNrofRsIndexesToReportを含む場合:
4＞  5.5.3.3aに記載されているように、、ＳＳ／ＰＢＣＨブロックに基づいて、サービングセルに対するレイヤ３フィルタリングされたＲＳＲＰおよびＲＳＲＱをビームごとに導出する;
3＞  5.5.3.3に記載されているように、ＳＳ／ＰＢＣＨブロックに基づいて、サービングセル測定結果を導出する;
2＞  VarMeasConfig内のmeasIdListに含まれる少なくとも１つのmeasIdがcsi-rsに設定されたrsTypeを含む場合:
3＞  VarMeasConfig内のmeasIdListに含まれる少なくとも１つのmeasIdがreportQuantityRsIndexesと０より高く設定したmaxNrofRsIndexesToReportを含む場合:
4＞  5.5.3.3aに記載されているように、ＣＳＩ−ＲＳに基づいて、サービングセルに対するレイヤ３フィルタリングされたＲＳＲＰおよびＲＳＲＱをビームごとに導出する;
3＞  5.5.3.3に記載されているように、ＣＳＩ−ＲＳに基づいて、サービングセル測定結果を導出する;
1＞  VarMeasConfig内のmeasIdListに含まれる少なくとも１つのmeasIdがトリガ数量および／または報告数量としてＳＩＮＲを含む場合:
2＞  関連するreportConfigがssbに設定されたrsTypeを含む場合:
3＞  measIdがreportQuantityRsIndexesと０より高く設定したmaxNrofRsIndexesToReportを含む場合:
4＞  5.5.3.3aに記載されているように、ＳＳ／ＰＢＣＨブロックに基づいて、サービングセルに対するレイヤ３フィルタリングされたＳＩＮＲをビームごとに導出する;
3＞  5.5.3.3に記載されているように、ＳＳ／ＰＢＣＨブロックに基づいて、サービングセルＳＩＮＲを導出する;
2＞  関連するreportConfigがcsi-rsに設定されたrsTypeを含む場合:
3＞  measIdがreportQuantityRsIndexesと０より高く設定したmaxNrofRsIndexesToReportを含む場合:
4＞  5.5.3.3aに記載されているように、ＣＳＩ−ＲＳに基づいて、サービングセルに対するレイヤ３フィルタリングされたＳＩＮＲをビームごとに導出する;
3＞  5.5.3.3に記載されているように、ＣＳＩ−ＲＳに基づいて、サービングセルＳＩＮＲを導出する;
【００４０】
第３の実施形態では、ＵＥは、サービング周波数におけるビーム測定のために（Ｌ３フィルタされた測定において）測定され、維持されるビームの正確な数を導出する。これは、ネットワークによって提供される報告設定パラメータに基づいて行うことができる。所与のＲＳタイプについて、ＵＥは、所与の数量（単数または複数）に対して維持するビームの数を決定する。ＲＳタイプごとの、セルごとの、サービング周波数を維持および測定するためのビーム数は、次のように定義される
Ｌ３ビーム測定値を維持するビーム数
=  maximum{maxNrofRSIndexesToReport(1), maxNrofRsIndexesToReport(2), ..., 
maxNrofRsIndexesToReport(Y)}.
【００４１】
この例では、Ｙは、設定された後にＵＥが現在有している測定識別子の総数である。例えば、ＵＥは、現在、表１に示される設定を有し得る。
2021520661.tif 000003
【００４２】
この例では、ＳＳＢの場合はＹ=３、ＣＳＩ−ＲＳ の場合はＹ=２である。したがって、ＳＳＢに対しては、維持するビームの数 = 関連するreportConfigにおける{maxNrofRSIndexesToReport(1), maxNrofRSIndexesToReport(2), maxNrofRSIndexesToReport(3)} = max{5, 10, 2} = 10である。したがって、測定報告をトリガするイベントが、5を有する、measId=１に関連するイベントである場合、ＵＥは１０のビームを維持し、最も強い５（または報告規則に従って５）を報告することができる。この例では、ＣＳＩ−ＲＳの場合、維持するビームの数 = 関連するreportConfigにおける{maxNrofRSIndexesToReport(4), maxNrofRsIndexesToReport(5)} = max{15, 15} = 15である。
【００４３】
さらにこの例では、各ＲＳタイプについてこれらの測定値を保持するための数量は、少なくともＲＳＲＰおよびＲＳＲＱとすることができる。次に、３番目の列は、これらの測定識別子のうち、ＳＩＮＲが設定（構成）されているものと、設定されていなものを示す。ＳＳＢの場合、measId = １とmeasId = 3にはＳＩＮＲが設定されている。従って、提案した方法によれば、ＵＥは、最大５ビームに対してＳＩＮＲを維持し、測定する。これはmeasId = 2がトリガされる場合、ＵＥは、ＳＩＮＲビーム測定値を報告する必要なく、ＲＳＲＰおよびＲＳＲＱのみを報告するためである。したがって、最大値に対する規則は、ＲＳタイプごと、および、設定可能な数量ごとに、一般的な用語で定義できる。ここで、ＮＲでは、設定可能な数量は、ＳＩＮＲのみである（ＲＳＲＱおよびＲＳＱは常に報告される）。
【００４４】
したがって、以前の規則は、例えば、ＳＩＮＲビーム測定の場合に、以下のように設定可能な数量について定義することができる:
設定可能な数量（例えばＳＩＮＲ）ごとにＬ３ビーム測定を維持するためのビーム数
= maximum{maxNrofRsIndexesToReport(1), maxNrofRsIndexesToReport(2),...,
maxNrofRsIndexesToReport(Y)}
ここで、関連する測定識別子に対してＳＩＮＲが設定されている場合のみ、値が含まれる。
【００４５】
第４の実施形態では、ＵＥは、非サービング周波数におけるビーム測定のために測定され、維持される（Ｌ３フィルタリングされた測定値において）、ビームの正確な数を導出する。先の実施形態および例で説明したのと同様の規則が、非サービング周波数上のセルにも適用可能であることに留意されたい。
【００４６】
前述したように、ＵＥに対する以下の設定が想定されるが、ここでは、設定されている正確なイベントＡ３を示す。これを表２に示す。
2021520661.tif 000004
【００４７】
以前の実施形態からの規則が適用される場合、ＵＥは、各サービング周波数に対して、以下のＬ３ビーム測定値を維持する。すなわち、１０ビームに対するＳＳＢに基づくサービングセルごとのＲＳＲＰ及びＲＳＲＱ Ｌ３ビームフィルタリング測定値、及び、５ビームに対するＳＳＢに基づくサービングセルごとのＳＩＮＲ Ｌ３ビームフィルタリング測定値、を維持する。サービング周波数における最良近傍の報告が、関連する測定識別子に対して設定されている場合、ＲＳＲＰおよびＲＳＲＱ Ｌ３ビームフィルタリングされた測定値は、１０ビームに対するＳＳＢに基づいて、サービングセルごとに維持される。サービング周波数における最良近傍の報告が、関連する測定識別子に対して設定されている場合、ＳＩＮＲ Ｌ３ビームフィルタリングされた測定値は、５つのビームに対するＳＳＢに基づいて、サービングセルごとに維持される。ＲＳＲＰおよびＲＳＲＱ Ｌ３ビームフィルタリングされた測定値は、１５ビームに対するＣＳＩ−ＲＳに基づいて、サービングセルごとに維持される。ＳＩＮＲ Ｌ３ビームフィルタリング測定値は、１５ビームに対するＣＳＩ−ＲＳ に基づいて、サービングセルごとに維持される。サービング周波数における最良近傍の報告が、関連する測定識別子に対して設定されている場合、ＲＳＲＰおよびＲＳＲＱ Ｌ３ビームフィルタリングされた測定は、１５ビームに対するＣＳＩ−ＲＳに基づいて、サービングセルごとに維持される。サービング周波数における最良近傍の報告が、関連する測定識別子に対して構成されている場合、ＳＩＮＲ Ｌ３ビームフィルタリングされた測定値は、１５ビームに対するＣＳＩ−ＲＳに基づいて、サービングセルごとに維持される。
【００４８】
非サービング周波数におけるセルの場合、各非サービング周波数は、測定対象{MO(1), MO(2), ..., MO(k)}に関連付けられる。また、各measIdは、reportConfig とmeasObject に関連付けられる。次いで、ＵＥが所与のＲＳタイプおよび数量に対してビーム測定を実行するかどうか、ならびに、数量ごとおよびＲＳタイプごとに維持するためのＬ３フィルタリングされたビーム測定値の正確な数を決定するために、ＵＥは、以下の規則を実行する。maxNrofRSIndexesToReportとreportQuantityRsIndexesが、非サービング周波数に関連付けられたmeasObjectを有する少なくとも１つの測定識別子のために、報告設定において設定される場合、ＵＥは、その非サービング周波数におけるセルのためのビーム測定を実行する。その周波数におけるセルごとのビームの最大数は、その特定のＲＳタイプおよび報告される数量のための各関連するreportConfig ／測定ＩＤにおいて設定されたパラメータmaxNrofRSIndexesToReportに対して設定された値の最大値によって決定される。言い換えると、非サービング周波数におけるセルに対する規則は、数量ごとに、およびＲＳタイプごとに適用される。
【００４９】
別の例では、非サービング周波数におけるセルに対するビームがここで決定される。この例では、Ｙは、設定された後にＵＥが、現在有している測定識別子の総数である。例えば、ＵＥが現在、表３に示す設定を有する場合である。
2021520661.tif 000005
【００５０】
この例では、ＳＳＢの場合はＹ=３、ＣＳＩ−ＲＳ の場合はＹ=２である。次に、その特定の周波数に対して、以下の規則が適用される。ＳＳＢに対しては、ＲＳＲＰ測定のために維持するビームの数 = 関連するreportConfigにおける{maxNrofRSIndexesToReport(1), maxNrofRSIndexesToReport(3)} = max{5, 2} = 5である。ＳＳＢに対しては、ＲＳＲＱ測定のために維持するビームの数 = 関連するreportConfigにおける{maxNrofRSIndexesToReport(1), maxNrofRSIndexesToReport(2), maxNrofRSIndexesToReport(3)} = max{5, 10, 2} = 10である。ＳＳＢに対しては、ＳＩＮＲ測定のために維持するビームの数 = 関連するreportConfigにおける{maxNrofRSIndexesToReport(3)} = max{2} = 2である。ＣＳＩ−ＲＳに対しては、ＲＳＲＰ測定のために維持するビームの数 = 関連するreportConfigにおける{maxNrofRSIndexesToReport(5)} = max{2} = 2である。ＣＳＩ−ＲＳに対しては、ＲＳＲＱ測定のために維持するビームの数 = 関連するreportConfigにおける{maxNrofRSIndexesToReport(4), maxNrofRSIndexesToReport(5)} = max{5, 2} = 5である。ＣＳＩ−ＲＳに対しては、ＳＩＮＲ測定のために維持するビームの数 = 関連するreportConfigにおける{maxNrofRSIndexesToReport(4)} = max{5} = 5である。
【００５１】
以下は、ＲＳタイプ（ＳＳＢとＣＳＩ−ＲＳ）ごと、および、測定数量（ＲＳＲＰ、ＲＳＲＱ、ＳＩＮＲ等）ごとに、Ｌ３フィルタリングされた測定値を測定および維持するビームの数を、ＵＥが決定することを可能にする追加の実施形態である。これは、報告目的で定義された既存のパラメータを使用する規則に基づいて行われ得る。
【００５２】
したがって、図３は、無線デバイス５０として示される、そのような技術を実行する無線デバイスの図を示す。無線デバイス５０は、セルラーネットワークにおけるＵＥなどのネットワークにおいて動作することが可能な任意の無線端末を表すと見なすことができる。他の例は、通信デバイス、ターゲットデバイス、デバイス・ツー・デバイス（Ｄ２Ｄ）ＵＥ、マシンタイプＵＥ、またはマシン・ツー・マシン通信（Ｍ２Ｍ）が可能なＵＥ、ＵＥを備えたセンサ、ＰＤＡ（パーソナルデジタルアシスタント）、タブレット、携帯端末、スマートフォン、ラップトップ内蔵機器（ＬＥＥ）、ラップトップ搭載機器（ＬＭＥ）、ＵＳＢドングル、顧客宅内機器（ＣＰＥ）等を含み得る。
【００５３】
無線デバイス５０は、アンテナ５４およびトランシーバ回路（送受信器回路）５６を介して広域セルラーネットワーク内の無線ノードまたは基地局と通信するように構成されている。トランシーバ回路５６は、セルラー通信サービスを使用する目的で、無線アクセス技術に従って信号を送受信するように集合的に構成された送信器回路、受信器回路、および関連する制御回路を含み得る。この説明では、この無線アクセス技術はＮＲである。
【００５４】
無線デバイス５０はまた、無線トランシーバ回路５６と動作可能に関連付けられた１つ以上の処理回路５２を含む。処理回路５２は、１つ以上のデジタル処理回路、例えば、１つ以上のマイクロプロセッサ、マイクロコントローラ、デジタル信号プロセッサ（ＤＳＰ）、フィールドプログラマブルゲートアレイ（ＦＰＧＡ）、コンプレックスプログラマブルロジックデバイス（ＣＰＬＤ）、特定用途向け集積回路（ＡＳＩＣ）、またはそれらの任意の組み合わせを備える。より一般的には、処理回路５２は、固定回路、または本明細書に教示された機能を実施するプログラム命令の実行を介して特別に適合化されたプログラム可能回路を含み得る。処理回路５２はマルチコアであり得る。
【００５５】
処理回路５２はまた、メモリ６４を有する。いくつかの実施形態では、メモリ６４は、１つ以上のコンピュータプログラム６６、およびオプション的に設定データ５８を格納する。メモリ６４は、コンピュータプログラム６６に非一時的な記憶装置を提供し、ディスク記憶装置、固体メモリ記憶装置、またはそれらの任意の組み合わせなどの１つ以上の種類のコンピュータ可読媒体を含み得る。ここで、「非一時的」とは、恒久的、半永久的、または少なくとも一時的に持続的な記憶を意味し、例えばプログラム実行のための不揮発性メモリへの長期記憶と作業メモリへの記憶の両方を包含する。非限定的な例として、メモリ６４は、ＳＲＡＭ、ＤＲＡＭ、ＥＥＰＲＯＭ、およびフラッシュメモリのうちのいずれか１つ以上含み、これらは処理回路５２内にあり、および／または処理回路５２とは別個であり得る。一般に、メモリ６４は、コンピュータプログラム６６およびユーザ装置５０によって使用される任意の設定データ６８の非一時的記憶を提供する１つ以上の種類のコンピュータ可読記憶媒体を備える。処理回路５２は、例えば、メモリ６４に格納された適切なプログラムコードを使用することによって、以下に詳述される方法および／またはシグナリングプロセスのうちの１つ以上を実行するように構成され得る。
【００５６】
無線デバイス５０は、いくつかの実施形態によれば、ビーム測定を実行するように構成される。したがって、処理回路５２は、測定値を報告するために無線デバイスを設定する測定報告パラメータを受信し、サービングセルまたはサービング周波数における隣接セルに対応する１つ以上のサービング周波数のそれぞれについて、維持されるべきビーム測定値の数を決定するように構成され、当該決定は、セルごとに報告されるべきビームの最大数を示す１つ以上の測定報告パラメータに基づく。処理回路５２はまた、測定報告において報告するために、維持されるべきビーム測定値の対応する決定された数に従って、１つ以上のサービング周波数のそれぞれについてのビーム測定値を維持するように構成される。
【００５７】
いくつかの実施形態によれば、処理回路５２は、測定値を報告するために無線デバイスを設定する測定報告パラメータを受信すること（ブロック４０２）を含む、図４に示される方法４００を実行するように構成される。方法４００は、サービングセルまたはサービング周波数における隣接セルに対応する１つ以上のサービング周波数のそれぞれについて、維持されるべきビーム測定値の数を決定することを含み、当該決定は、セルごとに報告されるべきビームの最大数を示す１つ以上の測定報告パラメータに基づく（ブロック４０４）。方法４００はさらに、測定報告において報告するために、維持されるべきビーム測定値の対応する決定された数に従って、１つ以上のサービング周波数のそれぞれについてビーム測定値を維持することを含む（ブロック４０６）。
【００５８】
方法４００は、報告された測定値に対応するトリガに応答して、測定報告において、少なくとも１つのサービング周波数に対して、維持されたビーム測定値のいくつかまたはすべてを報告することを含み得る。トリガに応答して報告されるいくつかの維持されたビーム測定値は、トリガに基づいて決定され得る。
【００５９】
決定することは、１つ以上のサービング周波数のうちの少なくとも第１のサービング周波数に対して、セルごとに報告されるべきビームの最大数を示すパラメータが、当該１つ以上のサービング周波数のうちの少なくとも第１のサービング周波数に対して設定されていないことを決定することに応答して、維持されるべきビーム測定値がないことを決定することを含み得る。
【００６０】
決定することは、１つ以上のサービング周波数のうちの少なくとも第１のサービング周波数に対して、セルごとに報告されるべきビームの最大数を示すパラメータが、当該１つ以上のサービング周波数のうちの少なくとも第１のサービング周波数に対して非ゼロ値で設定されていることを決定することに応答して、少なくとも１つのビーム測定値が維持されるべきであることを決定することを含み得る。
【００６１】
決定することは、１つ以上のサービング周波数のうちの少なくとも第１のサービング周波数に対して、セルごとに報告されるべきビームの最大数を示すパラメータと、報告されるべき量を示すパラメータとが、当該１つ以上のサービング周波数のうちの少なくとも第１のサービング周波数に対して設定されていることを決定することに応答して、少なくとも１つのビーム測定値が維持されるべきであることを決定することを含み得る。
【００６２】
１つ以上のサービング周波数のうちの第１のサービング周波数に対して維持されるべき少なくとも１つのビーム測定値は、ＲＳＲＰ測定値およびＲＳＲＱ測定値を含み得る。方法４００は、ＳＩＮＲが当該１つ以上のサービング周波数のうちの第１のサービング周波数に対して設定されることを決定することに応答して、当該１つ以上のサービング周波数のうちの第１のサービング周波数に対するＳＩＮＲビーム測定値を維持することをさらに含み得る。
【００６３】
維持されるべきビーム測定値の数を決定することは、２つ以上の参照信号（基準信号）タイプの各々について別々に実行されてもよい。２つ以上の参照信号タイプは、ＣＳＩ−ＲＳタイプおよびＳＳＢタイプを含んでもよい。
【００６４】
いくつかの実施形態では、無線デバイスは、１つ以上のサービング周波数のうちの第１のサービング周波数に関連付けられた複数の測定設定を受信し、当該複数の測定設定のそれぞれは、パラメータを報告するためにそれぞれの最大数のビーム測定値を含む。これらの実施形態では、方法４００は、１つ以上のサービング周波数のうちの第１のサービング周波数と、２つ以上の参照信号タイプのうちの第１の参照信号タイプとに対して、２つ以上ｂの参照信号タイプのうちの第１の参照信号タイプに関連付けられたそれらの測定設定に対して報告するために、最大数のビーム測定値を示すパラメータのうちの第１の最大値を決定することによって、維持されるべきビーム測定値の数を決定することをさらに含み得る。方法４００は、１つ以上のサービング周波数のうちの第１のサービング周波数と、２つ以上の参照信号タイプのうちの第１の参照信号タイプとに対して、第１の最大値に等しいＲＳＲＰ測定値の数と、第１の最大値に等しいＲＳＲＱ測定値の数とを維持することを更に含み得る。方法４００はまた、１つ以上のサービング周波数のうちの第１のサービング周波数と、２つ以上の参照信号タイプのうちの第１の参照信号タイプとに対して、２つ以上の参照信号タイプのうちの第１の参照信号タイプに関連付けられ、ＳＩＮＲトリガを含むそれたの測定設定に対するパラメータを報告するために、最大数のビーム測定値のうちの第２の最大値を決定することによって、維持されるべきＳＩＮＲビーム測定値の数を決定することを含み得る。
【００６５】
方法４００は、１つ以上の非サービング周波数のそれぞれについて、および１つ以上の参照信号タイプのそれぞれについて、それぞれの非サービング周波数に対応する測定設定に対して報告するために最大数のビーム測定値を示すパラメータのうちの最大値を決定することと、それぞれの参照信号タイプに対して測定報告を設定することによって、維持されるべきビーム測定値の数を決定することを含み得る。
【００６６】
いくつかの実施形態によれば、処理回路５２は、測定値を報告するために無線デバイスを設定する測定報告パラメータを受信するように構成され、測定報告パラメータのうちの１つが、セルごとに報告されるべきビーム測定値の最大数を示し、測定報告パラメータのうちの別の１つが、報告されるべき数量を示すことを決定することに応答して、測定報告において報告するために、サービングセルの１つ以上のサービング周波数に対してビームごとに少なくとも１つの測定値を維持するように構成される。
【００６７】
いくつかの実施形態によれば、処理回路５２は、測定値を報告するために無線デバイスを設定する測定報告パラメータを受信すること（ブロック５０２）と、測定報告パラメータのうちの１つが、セルごとに報告されるべき最大数のビーム測定値を示すこと、および、測定報告パラメータのうちの別の１つが、報告されるべき数量を示すことを決定することに応答して、測定報告において報告するために、サービングセルの１つ以上のサービング周波数に対してビームごとに少なくとも１つの測定値を維持すること（ブロック５０４）とを含む、図５に示される方法５００を実行するように構成される。
【００６８】
維持されるべき少なくとも１つのビーム測定値は、ＲＳＲＰ測定値およびＲＳＲＱ測定値を含むことができる。決定は、ＣＳＩ−ＲＳタイプおよびＳＳＢタイプを含み得る２つ以上の参照信号タイプのそれぞれに対して別々に実行され得る。
【００６９】
図６は、上記の技術を用いて無線デバイスを補完またはサポートする１つ以上の技術を実行するように構成されてもよい、対応するネットワークノード３０の図を示す。ネットワークノード３０は、基地局、無線基地局、無線基地局、発展型ノードＢ（ｅＮｏｄｅＢ）、ノードＢ、または中継ノードなどのネットワークアクセスノードを含むことができる任意の種類のネットワークノードとすることができる。以下に記載される非限定的な実施形態では、ネットワークノード３０は、ＮＲネットワークにおいてセルラーネットワークアクセスノードとして動作するように構成されているとして説明される。
【００７０】
当業者であれば、例えば処理回路３２による実行のための適切なプログラム命令の修正および／または追加を通じて、本明細書に記載の方法およびシグナリング処理のうちの１つ以上を実行するために各タイプのノードをどのように適合させるかを容易に理解するだろう。
【００７１】
ネットワークノード３０は、無線端末、他のネットワークアクセスノードおよび／またはコアネットワーク間の通信を容易にする。ネットワークノード３０は、データおよび／またはセルラー通信サービスを提供する目的で、コアネットワーク内の他のノード、無線ノード、および／またはネットワーク内の他のタイプのノードと通信するための回路を含む通信インターフェース回路３８を含み得る。ネットワークノード３０は、アンテナ３４およびトランシーバ回路（送受信器回路）３６を使用してＵＥと通信する。トランシーバ回路３６は、セルラー通信サービスを提供する目的で、無線アクセス技術に従って信号を送受信するように集合的に構成された送信器回路、受信器回路、および関連する制御回路を含み得る。
【００７２】
ネットワークノード３０はまた、トランシーバ回路３６、および場合によっては通信インターフェース回路３８と動作可能に関連付けられた１つ以上の処理回路３２を含む。説明を容易にするために、１つ以上の処理回路３２は、以後「処理回路（circuit）３２」または「処理回路（circuitry）３２」と呼ばれる。処理回路３２は、１つ以上のデジタル処理回路、例えば１つ以上のマイクロプロセッサ、マイクロコントローラ、ＤＳＰ、ＦＰＧＡ、ＣＰＬＤ、ＡＳＩＣ、またはそれらの任意の組み合わせを備える。より一般的には、処理回路３２は、固定回路、または本明細書に教示された機能を実施するプログラム命令の実行を介して特別に構成されたプログラム可能回路を含み得る。プロセッサ４２は、マルチコア、すなわち、性能の向上、電力消費の低減、およびマルチタスクのより効率的な同時処理のために利用される２つ以上のプロセッサコアを有し得る。
【００７３】
処理回路３２はまた、メモリ４４を有する。メモリ４４は、ある実施形態では１つ以上のコンピュータプログラム４６と、オプションで設定データ４８とを記憶する。メモリ４４は、コンピュータプログラム４６に非一時的な記憶装置を提供し、ディスク記憶装置、固体メモリ記憶装置、またはそれらの任意の組み合わせなどの１つ以上の種類のコンピュータ可読媒体を含み得る。非限定的な例として、メモリ４４は、ＳＲＡＭ、ＤＲＡＭ、ＥＥＰＲＯＭ、およびフラッシュメモリのうちのいずれか１つ以上含み、これらは処理回路３２内にあり、および／または、処理回路３２とは別個であり得る。一般に、メモリ４４は、コンピュータプログラム４６およびネットワークアクセスノード３０によって使用される任意の設定データ４８の非一時的記憶を提供する１つ以上の種類のコンピュータ可読記憶媒体を備える。処理回路３２は、例えば、メモリ４４に格納された適切なプログラムコードを使用することによって、以下に詳述される方法、および／または、シグナリング処理のうちの１つ以上を実行するように構成され得る。
【００７４】
ネットワークノード３０は、いくつかの実施形態によれば、上述の無線デバイス技術をサポートして動作するように構成される。
【００７５】
いくつかの実施形態では、例えば、異なるＲＳが各ビームで送信され、各ＲＳはそれ自身のビーム識別子（ＢＩＤ）を搬送する。この場合、参照信号は、ビーム固有ＲＳ（ＢＲＳ）と呼ばれることができ、ＵＥは、ビームごとベースでＲＬＭを実行することができる。すなわち、その特定のビームにおけるダウンリンク制御チャネルの送信品質に等しい、個々のビームごとのＲＳＲＰを測定することででＲＬＭを実行することができる。他の実施形態では、同じＲＳが各ビームで送信されてもよく、各ＲＳは同じ識別子を搬送する。この識別子は、ＢＩＤ、セル識別子セルＩＤ（ＣＩＤ）とすることができるグループ識別子、またはビームＩＤ＋セルＩＤの両方とすることができる。これらの実施形態では、ＵＥは、時間領域でビームを区別すること、および／または同じ識別子を搬送するビームにわたって単に平均化を実行することができる。
【００７６】
様々な実施形態では、ＲＳは、ＢＩＤ、ビームＩＤ＋グループＩＤ（例えば、セルＩＤとして理解されてもよい）、または単にグループＩＤを搬送してもよい。ダウンリンク制御チャネル、例えば、ＰＤＣＣＨは、モビリティ目的のために使用されるＲＳと同じビームフォーミング特性を使用して送信される。これは、たとえ異なる時間に送信されたとしても、ダウンリンク制御チャネルをＲＳと「同じビーム」で送信することとして理解され得る。ダウンリンク制御チャネルは、チャネル推定およびチャネル復号化の目的で、異なるＲＳを搬送する（または関連付けることができる）ことに留意されたい。これらは、必ずしもそうとは限らないが、モビリティのために使用されるものとは完全に分離することができ、様々な実施形態では、セル固有、ＵＥ固有、および／またはビーム固有とすることができる。
【００７７】
図７は、いくつかの実施形態による、無線アクセスネットワークなどのアクセスネットワーク７１１と、コアネットワーク７１４とを備える、３ＧＰＰタイプのセルラーネットワークなどの電気通信ネットワーク７１０を含む通信システムを示す。アクセスネットワーク７１１はＮＢ、ｅＮＢ、ｇＮＢ、または他のタイプの無線アクセスポイントなどの複数の基地局７１２ａ、７１２ｂ、７１２ｃを備え、それぞれは対応するカバレッジエリア７１３ａ、７１３ｂ、７１３ｃを定義する。各基地局７１２ａ、７１２ｂ、７１２ｃは、有線または無線接続７１５を介してコアネットワーク７１４に接続可能である。カバレッジエリア７１３ｃに位置する第１のユーザ装置（ＵＥ）７９１は、対応する基地局７１２ｃに無線で接続されるか、またはポケットベルされるように構成される。カバレッジエリア７１３ａにおける第２のＵＥ７９２は、対応する基地局７１２ａに無線で接続可能である。本例では複数のＵＥ７９１、７９２が図示されているが、開示された実施形態は、単独のＵＥがカバレッジエリアにある状況、または単独のＵＥが対応する基地局７１２に接続している状況に等しく適用可能である。
【００７８】
電気通信ネットワーク７１０は、それ自体がホストコンピュータ７３０に接続され、ホストコンピュータ７３０は、スタンドアロンサーバ、クラウド実装サーバ、分散サーバの、ハードウェアおよび／またはソフトウェアで、またはサーバファーム内の処理リソースとして実施することができる。ホストコンピュータ７３０は、サービスプロバイダの所有または制御下にあってもよく、またはサービスプロバイダによって、またはサービスプロバイダの代わりに運用されてもよい。電気通信ネットワーク７１０とホストコンピュータ７３０との間の接続７２１、７２２は、コアネットワーク７１４からホストコンピュータ７３０に直接延在することができ、または任意選択の中間ネットワーク７２０を介して進むことができる。中間ネットワーク７２０は、公衆ネットワーク、プライベートネットワーク、またはホストネットワークのうちの１つ、または２つ以上の組み合わせとすることができ、中間ネットワーク７２０は、もしあれば、バックボーンネットワークまたはインターネットとすることができ、特に、中間ネットワーク７２０は、２つ以上のサブネットワーク（図示せず）を含むことができる。
【００７９】
図７の通信システム全体は、接続されたＵＥ７９１、７９２の１つとホストコンピュータ７３０との間の接続を可能にする。接続性は、オーバー・ザ・トップ（ＯＴＴ）接続７５０として説明することができる。ホストコンピュータ７３０および接続されたＵＥ７９１、７９２は、アクセスネットワーク７１１、コアネットワーク７１４、任意の中間ネットワーク７２０、および、可能なさらなるインフラストラクチャ（図示せず）を介在物として使用して、ＯＴＴ接続７５０を介してデータおよび／またはシグナリングを通信するように構成される。ＯＴＴ接続７５０は、ＯＴＴ接続７５０が通過する参加通信デバイスがアップリンク通信およびダウンリンク通信のルーティングに気付かないという意味で、トランスペアレント（透過的）であり得る。例えば、基地局７１２は、接続されたＵＥ７９１に転送される（例えば、ハンドオーバされる）ホストコンピュータ７３０から発信されるデータとの着信ダウンリンク通信の過去のルーティングについて通知されなくてもよく、または通知される必要がなくてもよい。同様に、基地局７１２は、ＵＥ７９１からホストコンピュータ７３０に向かう発信アップリンク通信の将来のルーティングを知っている必要はない。
【００８０】
本節で説明したＵＥ、基地局およびホストコンピュータの実施例は、実施形態に従い、図８を参照して説明される。通信システム８００では、ホストコンピュータ８１０が通信システム８００の異なる通信デバイスのインターフェースとの有線または無線接続をセットアップおよび維持するように構成された通信インターフェース８１６を含むハードウェア（ＨＷ）８１５を備える。ホストコンピュータ８１０は、記憶および／または処理能力を有することができる処理回路８１８をさらに備える。具体的には、処理回路８１８は、１つ以上のプログラマブルプロセッサ、特定用途向け集積回路、フィールドプログラマブルゲートアレイ、またはインストラクションを実行するように適合されたこれらの組合せ（図示せず）を備えることができる。ホストコンピュータ８１０は、ホストコンピュータ８１０に格納されているか、またはホストコンピュータ８１０によってアクセス可能であり、処理回路８１８によって実行可能なソフトウェア（ＳＷ）８１１をさらに備える。ソフトウェア８１１は、ホストアプリケーション８１２を含む。ホストアプリケーション８１２は、ＵＥ８３０およびホストコンピュータ８１０で終端するＯＴＴ接続８５０を介して接続するＵＥ８３０などのリモートユーザにサービスを提供するように動作可能であってもよい。リモートユーザにサービスを提供する際に、ホストアプリケーション８１２は、ＯＴＴ接続８５０を使用して送信されるユーザデータを提供することができる。
【００８１】
通信システム８００はさらに、電気通信システムにおいて提供され、ホストコンピュータ８１０およびＵＥ８３０と通信することを可能にするハードウェア８２５を備える基地局８２０を含む。ハードウェア８２５は、通信システム８００の異なる通信デバイスのインターフェースとの有線または無線接続をセットアップおよび維持するための通信インターフェース８２６、ならびに基地局８２０によってサービスされるカバレッジエリア（図８には示されていない）内に位置するＵＥ８３０との少なくとも無線接続８７０をセットアップおよび維持するための無線インターフェース８２７を含み得る。通信インターフェース８２６は、ホストコンピュータ８１０への接続８６０を容易にするように構成することができる。接続８６０は、直接的であってもよく、電気通信システムのコアネットワーク（図８には示されていない）を通過してもよく、および／または電気通信システムの外部の１つ以上の中間ネットワークを通過してもよい。図示の実施形態では、基地局８２０のハードウェア８２５は、処理回路８２８をさらに含み、処理回路８２８は、１つ以上のプログラマブルプロセッサ、特定用途向け集積回路、フィールドプログラマブルゲートアレイ、またはインストラクションを実行するように適合されたこれらの組合せ（図示せず）を備えることができる。基地局８２０は、内部に格納された、または外部接続を介してアクセス可能なソフトウェア８２１をさらに有する。
【００８２】
通信システム８００は、既に参照されたＵＥ８３０をさらに含む。そのハードウェア８３５は、ＵＥ８３０が現在位置するカバレッジエリアにサービスを提供する基地局との無線接続８８０をセットアップし、維持するように構成された無線インターフェース８３７を含み得る。ＵＥ８３０のハードウェア８３５は、処理回路８３８をさらに含み、処理回路８３８は、１つ以上のプログラマブルプロセッサ、特定用途向け集積回路、フィールドプログラマブルゲートアレイ、またはインストラクションを実行するように適合されたこれらの組合せ（図示せず）を備えることができる。ＵＥ８３０は、ＵＥ８３０に格納されるか、またはＵＥ８３０によってアクセス可能であり、処理回路８３８によって実行可能であるソフトウェア８３１をさらに備える。ソフトウェア８３１は、クライアントアプリケーション８３２を含む。クライアントアプリケーション８３２は、ホストコンピュータ８１０のサポートにより、ＵＥ８３０を介して人間または非人間のユーザにサービスを提供するように動作可能であってもよい。ホストコンピュータ８１０では、実行中のホストアプリケーション８１２がＵＥ８３０およびホストコンピュータ８１０で終端するＯＴＴ接続８５０を介して、実行中のクライアントアプリケーション８３２と通信することができる。ユーザにサービスを提供する際に、クライアントアプリケーション８３２は、ホストアプリケーション８１２から要求データを受信し、要求データに応答してユーザデータを提供することができる。ＯＴＴ接続８５０は、要求データとユーザデータの両方を転送することができる。クライアントアプリケーション８３２は、ユーザと相互作用して、それが提供するユーザデータを生成することができる。
【００８３】
図８に示されるホストコンピュータ８１０、基地局８２０、およびＵＥ８３０は、それぞれ、ホストコンピュータ６３０、基地局７１２ａ、７１２ｂ、７１２ｃのうちの１つ、および図７のＵＥ７９１、７９２のうちの１つと同一であり得ることに留意されたい。すなわち、これらのエンティティの内部動作は図８に示されるようなものであってもよく、独立して、周囲のネットワークトポロジは図７のものであってもよい。
【００８４】
図８では、ＯＴＴ接続８５０を抽象的に描いて、基地局８２０を介したホストコンピュータ８１０とユーザ装置８３０との間の通信を示しているが、いかなる中間デバイスも明示的に基準せず、これらのデバイスを介したメッセージの正確なルーティングも示していない。ネットワークインフラストラクチャは、ＵＥ８３０から、またはホストコンピュータ８１０を操作するサービスプロバイダから、またはその両方から隠すように構成され得るルーティングを決定し得る。ＯＴＴ接続８５０がアクティブである間、ネットワークインフラストラクチャは（例えば、負荷分散の考慮またはネットワークの再構成に基づいて）ルーティングを動的に変更する決定をさらに行うことができる。
【００８５】
ＵＥ８３０と基地局８２０との間のワイヤレス接続８７０は、対応する方法４００とともに無線デバイス５０によって提供されるような、本開示全体にわたって説明される実施形態の教示に従う。維持するサービング周波数のための最大数のビーム測定値（ビーム測定の最大回数）を定義する規則はないので、ＵＥ８３０は、その測定複雑性を低減するために任意に低い値を使用することを決定するのであろう。したがって、ＵＥ８３０は最大値を報告することができず、ネットワークはＵＥ８３０がサービング周波数におけるセルに対してＸ１ビームを超えて検出しなかったと解釈することができる。ハンドオーバ決定は、セル当たりのビームの数およびそれらの測定情報に依存し得るので、ハンドオーバ性能は悪影響を受け得る。また、サービングセルが維持する最大数のビーム測定値（ビーム測定の最大回数）を定義する規則もない。ＵＥ８３０は、報告に関する要件に確実に対処できるようにするために、任意に高い値を使用することを決定することができる。したがって、ＵＥ８３０は、示された最大値を、ネットワークにおいて解釈の問題なしに報告することができるが、コストはＵＥに必要なものよりも高くなる。実施形態は（不必要なレベルへの複雑さの増加を回避することによって）ハンドオーバ性能を改善し、ＵＥの複雑さを最小限に抑える可能性を有する。これは、ＯＴＴ接続８５０を使用するネットワークおよびＵＥ８３０に対するデータ速度、容量、待ち時間および／または電力消費を改善し、それによって、ユーザ待ち時間の削減、容量の増加、応答性の向上、および装置のバッテリ時間の改善などの利点を提供する。
【００８６】
１つ以上の実施形態が改善するデータレート、レイテンシ（待ち時間）、および他の要因を監視する目的で、測定手順を提供することができる。さらに、測定結果の変動に応答して、ホストコンピュータ８１０とＵＥ８３０との間のＯＴＴ接続８５０を再構成するためのオプションのネットワーク機能があってもよい。ＯＴＴ接続８５０を再構成するための測定手順および／またはネットワーク機能は、ホストコンピュータ８１０のソフトウェア８１１、またはＵＥ８３０のソフトウェア８３１、またはその両方において実装され得る。実施形態では、センサ（図示せず）がＯＴＴ接続８５０が通過する通信デバイスに配備されるか、またはそれに関連して配備されてもよく、センサは上で例示された監視された数量の値を供給することによって、またはソフトウェア８１１、８３１が監視量を計算または推定することができる他の物理量の値を供給することによって、測定手順に参加することができる。ＯＴＴ接続８５０の再構成は、メッセージフォーマット、再送信設定、好ましいルーティングなどを含むことができ、再構成は、基地局８２０に影響を及ぼす必要はなく、基地局８２０には知られていないか、または知覚できないことがある。このような手順および機能性は、当技術分野で公知であり、実践され得る。特定の実施形態では、測定がスループット、伝搬時間、待ち時間などのホストコンピュータ８１０の測定を容易にする独自のＵＥシグナリングを含むことができる。測定は、ソフトウェア８１１、８３１が伝搬時間、エラーなどを監視しながら、ＯＴＴ接続８５０を使用して、メッセージ、特に空または「ダミー」メッセージを送信させることによって実施することができる。
【００８７】
図９は、一実施形態による、通信システムにおいて実施される方法を示すフローチャートである。通信システムは、ホストコンピュータ、基地局、および図７および図８を参照して説明したＵＥを含む。本開示を簡単にするために、図９に対する図面参照のみがこのセクションに含まれる。本方法の第１のステップ９１０において、ホストコンピュータはユーザデータを提供する。第１のステップ９１０の任意選択のサブステップ９１１において、ホストコンピュータは、ホストアプリケーションを実行することによってユーザデータを提供する。第２のステップ９２０において、ホストコンピュータは、ユーザデータを搬送する送信をＵＥに開始する。任意選択の第３のステップ９３０において、基地局は、本開示全体にわたって説明される実施形態の教示に従って、ホストコンピュータが開始した送信において搬送されたユーザデータをＵＥに送信する。任意の第４のステップ９４０において、ＵＥは、ホストコンピュータによって実行されるホストアプリケーションに関連するクライアントアプリケーションを実行する。
【００８８】
図１０は、一実施形態による、通信システムにおいて実施される方法を示すフローチャートである。通信システムは、ホストコンピュータ、基地局、および図７および図８を参照して説明したＵＥを含む。本開示を簡単にするために、図１０に対する図面参照のみがこのセクションに含まれる。本方法の第１のステップ１０１０において、ホストコンピュータはユーザデータを提供する。任意のサブステップ（図示せず）において、ホストコンピュータがホストアプリケーションを実行することによってユーザデータを提供する。第２のステップ１０２０において、ホストコンピュータは、ユーザデータを搬送する送信をＵＥに開始する。送信は、本開示全体にわたって説明される実施形態の教示に従って、基地局を介して渡され得る。オプションの第３のステップ１０３０において、ＵＥは、送信において搬送されたユーザデータを受信する。
【００８９】
図１１は、一実施形態による、通信システムにおいて実施される方法を示すフローチャートである。通信システムは、ホストコンピュータ、基地局、および図７および図８を参照して説明したＵＥを含む。本開示を簡単にするために、図１１に対する図面参照のみがこのセクションに含まれる。本方法の任意選択の第１のステップ１１１０において、ＵＥは、ホストコンピュータによって提供される入力データを受信する。さらに、または代替的に、オプションの第２のステップ１１２０において、ＵＥはユーザデータを提供する。第２のステップ１１２０の任意選択のサブステップ１１２１において、ＵＥは、クライアントアプリケーションを実行することによってユーザデータを提供する。第１のステップ１１１０のさらなる任意選択のサブステップ１１１１において、ＵＥは、ホストコンピュータによって提供された受信入力データに応答してユーザデータを提供するクライアントアプリケーションを実行する。ユーザデータを提供する際に、実行されるクライアントアプリケーションは、ユーザから受け取ったユーザ入力をさらに考慮することができる。ユーザデータが提供された特定の方法にかかわらず、ＵＥは、任意の第３のサブステップ１１３０において、ホストコンピュータへのユーザデータの送信を開始する。本方法の第４のステップ１１４０において、ホストコンピュータは、本開示全体にわたって説明される実施形態の教示に従って、ＵＥから送信されたユーザデータを受信する。
【００９０】
図１２は、一実施形態による、通信システムにおいて実施される方法を示すフローチャートである。通信システムは、ホストコンピュータ、基地局、および図７および図８を参照して説明したＵＥを含む。本開示を簡単にするために、図１２に対する図面参照のみがこのセクションに含まれる。方法の任意選択の第１のステップ１２１０では本開示全体にわたって説明される実施形態の教示に従って、基地局はＵＥからユーザデータを受信する。任意選択の第２のステップ１２２０では、基地局が受信したユーザデータのホストコンピュータへの送信を開始する。第３のステップ１２３０において、ホストコンピュータは、基地局によって開始された送信で搬送されたユーザデータを受信する。
【００９１】
いくつかの実施形態によれば、ホストコンピュータを含む通信システムはユーザデータを提供するように構成された処理回路と、ビーム測定を実行するように構成されたＵＥへの送信のためにセルラーネットワークにユーザデータを転送するように構成された通信インターフェースとを備え、ＵＥは測定値を報告するようにＵＥを構成する測定報告パラメータを受信し、サービング周波数内のサービングセルまたは隣接セルに対応する１つ以上のサービング周波数のそれぞれについて、維持されるべきビーム測定値の数を決定するように構成された無線インターフェースと、処理回路とを備え、決定はセルごとに報告されるべきビームの最大数を示す１つ以上の測定報告パラメータに基づく。処理回路はまた、測定報告において報告するために、維持されるべきビーム測定値の対応する決定された数に従って、１つ以上のサービング周波数のそれぞれについてのビーム測定値を維持するように構成される。通信システムは、ＵＥと通信するように構成されたＵＥおよび／または基地局をさらに含んでもよい。ホストコンピュータの処理回路はホストアプリケーションを実行し、それによってユーザデータを提供するように構成されてもよく、ＵＥの処理回路は、ホストアプリケーションに関連付けられたクライアントアプリケーションを実行するように構成されてもよい。
【００９２】
いくつかの実施形態によれば、ホストコンピュータと、基地局と、ビーム測定を実行するように構成されたＵＥとを含む通信システムにおいて実施される方法であって、当該方法は、ホストコンピュータにおいて、ユーザデータを提供することと、基地局を備えるセルラーネットワークを介してユーザデータを搬送する送信をＵＥに開始することを含む。ＵＥにおける方法は、測定値を報告するためにＵＥを設定する測定報告パラメータを受信することと、サービングセルまたはサービング周波数内における隣接セルに対応する１つ以上のサービング周波数のそれぞれについて、維持されるべきビーム測定値の数を決定することを含み、当該決定は、セルごとに報告されるべきビームの最大数を示す１つ以上の測定報告パラメータに基づく。ＵＥにおける方法はまた、測定報告において報告するために、維持されるべきビーム測定値の対応する決定された数に従って、１つ以上のサービング周波数のそれぞれのためのビーム測定値を維持することを含む。ＵＥにおける方法は、基地局からユーザデータを受信することをさらに含むことができる。
【００９３】
いくつかの実施形態によれば、ホストコンピュータを含む通信システムはＵＥから基地局への送信から生じるユーザデータを受信するように構成された通信インターフェースを備え、ＵＥはビーム測定を実行するように構成され、ＵＥの処理回路は測定値を報告するためにＵＥを設定する測定報告パラメータを受信し、サービングセルまたはサービング周波数における隣接セルに対応する１つ以上のサービング周波数のそれぞれについて、維持されるべきビーム測定値の数を決定するように構成され、当該決定は、セルごとに報告されるべきビームの最大数を示す１つ以上の測定報告パラメータに基づく。処理回路はまた、測定報告において報告するために、維持されるべきビーム測定値の対応する決定された数に従って、１つ以上のサービング周波数のそれぞれについてのビーム測定値を維持するように構成される。通信システムはさらに、ＵＥおよび／または基地局を含むことができ、ここで、基地局は、ＵＥと通信するように構成された無線インターフェースと、ＵＥから基地局への送信によって搬送される（運ばれる）ユーザデータをホストコンピュータに転送するように構成された通信インターフェースとを含む。ホストコンピュータの処理回路はホストアプリケーションを実行するように構成されてもよく、ＵＥの処理回路はホストアプリケーションに関連付けられたクライアントアプリケーションを実行するように構成されてもよく、それによって、ユーザデータを提供する。ホストコンピュータの処理回路はホストアプリケーションを実行し、それによって要求データを提供するように構成されてもよく、ＵＥの処理回路はホストアプリケーションに関連するクライアントアプリケーションを実行し、それによって要求データに応答してユーザデータを提供するように構成されてもよい。
【００９４】
いくつかの実施形態によれば、ビーム測定を実行するように構成されたＵＥにおいて実施される方法は、測定値を報告するためにＵＥを設定する測定報告パラメータを受信することと、サービングセルまたはサービング周波数における隣接セルに対応する１つ以上のサービング周波数のそれぞれについて、維持されるべきビーム測定値の数を決定することとを含み、当該決定することは、セルごとに報告されるべきビームの最大数を示す１つ以上の測定報告パラメータに基づく。この方法はまた、測定報告で報告するために、維持されるべきビーム測定値の対応する決定された数に従って、１つ以上のサービング周波数のそれぞれについてビーム測定値を維持することを含むことができる。この方法はまた、ユーザデータを提供し、基地局への送信を介してユーザデータをホストコンピュータに転送することを含んでもよい。
【００９５】
いくつかの実施形態によれば、ホストコンピュータと、基地局と、ビーム測定を実行するように構成されたＵＥとを含む通信システムにおいて実施される方法は、ホストコンピュータにおいて、ＵＥから基地局に送信されたユーザデータを受信することを含み、この方法はＵＥにおいて、測定値を報告するようにＵＥを設定する測定報告パラメータを受信することと、サービングセルまたはサービング周波数における隣接セルに対応する１つ以上のサービング周波数のそれぞれについて、維持されるべきビーム測定値の数を決定することとを含み、当該決定することは、セルごとに報告されるべきビームの最大数を示す１つ以上の測定報告パラメータに基づく。この方法は、測定報告で報告するために、維持されるべきビーム測定値の対応する決定された数に従って、１つ以上のサービング周波数のそれぞれについてビーム測定値を維持することをさらに含む。ＵＥにおける方法はまた、ユーザデータを基地局に提供することを含みうる。ＵＥにおける方法は、クライアントアプリケーションを実行することを含み、それによって送信されるユーザデータを提供し、ホストコンピュータにおける方法は、クライアントアプリケーションに関連するホストアプリケーションを実行することを含み得る。ＵＥにおける方法はクライアントアプリケーションを実行し、クライアントアプリケーションに入力データを受信することを含み、入力データはクライアントアプリケーションに関連するホストアプリケーションを実行することによってホストコンピュータに提供され、ここで、送信されるユーザデータは入力データに応答して、クライアントアプリケーションによって提供される。
【００９６】
いくつかの実施形態によれば、ホストコンピュータと、基地局と、ビーム測定を実行するように工程されたＵＥとを含む通信システムにおいて実施される方法は、ホストコンピュータにおいて、基地局がＵＥから受信した送信から生じるユーザデータを基地局から受信することを含み、ＵＥにおける方法は、測定値を報告するようにＵＥを設定する測定報告パラメータを受信することと、サービング周波数内のサービングセルまたは隣接セルに対応する１つ以上のサービング周波数のそれぞれについて、維持されるべきビーム測定値の数を決定することとを含み、当該決定は、セルごとに報告されるべきビームの最大数を示す１つ以上の測定報告パラメータに基づく。ＵＥにおける方法は、測定報告において報告するために、維持されるべきビーム測定値の対応する決定された数に従って、１つ以上のサービング周波数のそれぞれのためのビーム測定値を維持することを備えることができる。基地局での方法はＵＥからユーザデータを受信し、受信したユーザデータのホストコンピュータへの送信を開始することを含み得る。
【００９７】
上記で詳細に論じたように、例えば図４および図５のプロセスフロー図に示すように、本明細書に記載の技術は、１つ以上のプロセッサによって実行されるコンピュータプログラム命令を使用して全体または部分的に実施できる。当然のことながら、これらの技法の機能的実装は、適切なプロセッサ内で実行されるソフトウェアの機能単位、または機能的デジタルハードウェア回路、またはその両方の何らかの組合せに対応する機能モジュールに関して表すことができる。
【００９８】
図１３は、無線通信ネットワークにおける動作に適合した無線デバイス５０において実施され得るような例示的な機能モジュールまたは回路の構造を示す。この実装形態は、測定値を報告するために無線デバイスを設定する測定報告パラメータを受信するための受信モジュール１３０２と、サービングセルまたはサービング周波数における隣接セルに対応する１つ以上のサービング周波数のそれぞれについて、維持されるべきビーム測定値の数を決定するための決定モジュール１３０４とを含み、当該決定は、セルごとに報告されるべきビームの最大数を示す１つ以上の測定報告パラメータに基づく。機能実装はまた、測定報告において報告するために、維持されるべきビーム測定値の対応する決定された数に従って、１つ以上のサービング周波数のそれぞれのためのビーム測定値を維持するための維持モジュール１３０６を含む。
【００９９】
別の実施形態では、維持モジュール１３０６が測定報告パラメータのうちの１つが、セルごとに報告されるべきビーム測定値の最大数を示すことを決定することに応答して、測定報告パラメータのうちの別の１つが、報告されるべき数量を示すためのものであり、測定報告において報告するために、サービングセルの１つ以上のサービング周波数についてビームごとに少なくとも１つの測定値を維持するためのものである。
【０１００】
本発明の概念の原理から実質的に逸脱することなく、実施形態に対して多くの変形および修正を行うことができる。全てのそのような変形及び修正は、本発明の概念の範囲内に含まれることが意図される。したがって、上記で開示された主題は例示的であり、限定的ではないと考えられるべきであり、実施形態の例は、本発明の概念の精神および範囲内にある、すべてのそのような修正、強化、および他の実施形態を包含することが意図される。したがって、本発明の概念の範囲は法律によって許容される最大限まで、実施形態の例およびその均等物を含む本開示の最も広い許容可能な解釈によって決定されるべきであり、前述の詳細な説明によって限定または限定されるべきではない。
【図１】
2021520661.tif 000006
【図２】
2021520661.tif 000007
【図３】
2021520661.tif 000008
【図４】
2021520661.tif 000009
【図５】
2021520661.tif 000010
【図６】
2021520661.tif 000011
【図７】
2021520661.tif 000012
【図８】
2021520661.tif 000013
【図９】
2021520661.tif 000014
【図１０】
2021520661.tif 000015
【図１１】
2021520661.tif 000016
【図１２】
2021520661.tif 000017
【図１３】
2021520661.tif 000018
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
無線デバイス（５０）において、ビーム測定を実行する方法（４００）であって、
測定値を報告するために前記無線デバイス（５０）を設定する測定報告パラメータを受信すること（４０２）と、
サービングセルまたはサービング周波数における隣接セルに対応する１つ以上のサービング周波数のそれぞれに対して、維持されるべきビーム測定値の数を決定すること（４０４）であって、当該決定は、セルごとに報告されるべきビームの最大数を示す１つ以上の測定報告パラメータに基づく、ことと、
測定報告において報告するために、維持されるべきビーム測定値の前記対応する決定された数に従って、前記１つ以上のサービング周波数のそれぞれに対してビーム測定値を維持すること（４０６）、を含む方法（４００）。
【請求項２】
前記報告される測定値に対応するトリガに応答して、測定報告において、前記少なくとも１つのサービング周波数に対する前記維持されたビーム測定値のいくつかまたはすべてを報告することを更に含む、請求項１に記載の方法（４００）。
【請求項３】
前記トリガに応答して報告される、維持されたビーム測定値の数は、前記トリガに基づいて決定される、請求項２に記載の方法（４００）。
【請求項４】
前記決定すること（４０４）は、前記１つ以上のサービング周波数のうちの少なくとも第１のサービング周波数に対して、セルごとに報告されるべきビームの最大数を示すパラメータが１つ以上のサービング周波数のうちの少なくとも前記第１のサービング周波数に対して設定されていないことを決定することに応答して、維持されるべきビーム測定値がないことを決定することを含む、請求項１から３のいずれか１項に記載の方法（４００）。
【請求項５】
前記決定すること（４０４）は、前記１つ以上のサービング周波数のうちの少なくとも第１のサービング周波数に対して、セルごとに報告されるべきビームの最大数を示すパラメータが１つ以上のサービング周波数のうちの少なくとも前記第１のサービング周波数に対して非ゼロ値で設定されていることを決定することに応答して、少なくとも１つのビーム測定値が維持されるべきであることを決定することを含む、請求項１から３のいずれかに記載の方法（４００）。
【請求項６】
前記決定すること（４０４）は、前記１つ以上のサービング周波数のうちの少なくとも第１のサービング周波数に対して、セルごとに報告されるべきビームの最大数を示すパラメータと、報告されるべき数量を示すパラメータとが、１つ以上のサービング周波数のうちの少なくとも前記第１のサービング周波数に対して設定されていることを決定することに応答して、少なくとも１つのビーム測定値が維持されるべきであることを決定することを含む、請求項１から３のいずれかに記載の方法（４００）。
【請求項７】
前記１つ以上のサービング周波数のうちの前記第１のサービング周波数に対して維持されるべき前記少なくとも１つのビーム測定値は、参照信号受信電力（ＲＳＲＰ）測定値、および、参照信号受信品質（ＲＳＲＱ）測定値を含む、請求項５または６に記載の方法（４００）。
【請求項８】
信号対干渉雑音比（ＳＩＮＲ）トリガが前記１つ以上のサービング周波数のうちの前記第１のサービング周波数に対して設定されることを決定することに応答して、前記１つ以上のサービング周波数のうちの前記第１のサービング周波数に対するＳＩＮＲビーム測定値を維持することをさらに含む、請求項７に記載の方法（４００）。
【請求項９】
無線デバイス（５０）において、ビーム測定を実行するための方法（５００）であって、
測定値を報告するために無線デバイス（５０）を設定する測定報告パラメータを受信すること（５０２）と、
１つ以上の周波数のそれぞれに対して、前記周波数に関連付けられた前記測定報告パラメータのうちの１つがセルごとに報告されるべき最大数のビーム測定値を示し、前記周波数に関連付けられた前記測定報告パラメータのうちの別の１つが報告されるべき数量を示すことを決定することに応答して、測定報告において報告するために、前記周波数に対するビームごとに少なくとも１つの測定値を維持すること（５０４）と、を含む、方法（５００）。
【請求項１０】
維持されるべき少なくとも１つのビーム測定値は、参照信号受信電力（ＲＳＲＰ）測定、および、参照信号受信品質（ＲＳＲＱ）測定を含む、請求項９に記載の方法（５００）。
【請求項１１】
前記決定は、２つ以上の参照信号タイプのそれぞれについて別々に実行される、請求項９または１０に記載の方法（５００）。
【請求項１２】
前記２つ以上の参照信号タイプは、チャネル状態情報参照シンボル（ＣＳＩ−ＲＳ）タイプ、および、同期信号／物理ブロードキャストチャネル（ＰＢＣＨ）タイプを含む、請求項１１に記載の方法（５００）。
【請求項１３】
ビーム測定を実行するように構成された無線デバイス（５０）であって、
トランシーバ回路（５６）と、
トランシーバ回路（５６）と動作可能に関連付けられた処理回路（５２）とを備え、
前記処理回路（５２）は、
測定値を報告するために無線デバイス（５０）を設定する測定報告パラメータを受信し、
サービングセルまたはサービング周波数における隣接セルに対応する１つ以上のサービング周波数のそれぞれに対して、維持されるべきビーム測定値の数を決定し、ここで前記決定は、セルごとに報告されるべきビームの最大数を示す１つ以上の測定報告パラメータに基づき、
測定報告において報告するために、維持されるべきビーム測定値の前記対応する決定された数に従って、前記１つ以上のサービング周波数のそれぞれに対してビーム測定値を維持する、ように構成された処理回路（５２）と、を備える、無線デバイス（５０）。
【請求項１４】
前記処理回路（５２）は、前記報告される測定値に対応するトリガに応答して、測定報告において、前記少なくとも１つのサービング周波数に対する前記維持されたビーム測定値のいくつかまたはすべてを報告するように構成される、請求項１３に記載の無線デバイス（５０）。
【請求項１５】
ビーム測定を実行するように構成された無線デバイス（５０）であって、
トランシーバ回路（５６）と、
トランシーバ回路（５６）と動作可能に関連付けられた処理回路（５２）とを備え、
前記処理回路（５２）は、
測定値を報告するために無線デバイス（５０）を設定する測定報告パラメータを受信し、
１つ以上の周波数のそれぞれに対して、前記周波数に関連付けられた前記測定報告パラメータのうちの１つがセルごとに報告されるべき最大数のビーム測定値を示し、前記周波数に関連付けられた前記測定報告パラメータのうちの別の１つが報告されるべき数量を示すことを決定することに応答して、測定報告において報告するために、前記周波数に対するビームごとに少なくとも１つの測定値を維持する、ように構成された処理回路（５２）と、を備える、無線デバイス（５０）。
【請求項１６】
維持されるべき少なくとも１つのビーム測定値は、参照信号受信電力（ＲＳＲＰ）測定、および、参照信号受信品質（ＲＳＲＱ）測定を含む、請求項１５に記載の無線デバイス（５０）。
【請求項１７】
前記処理回路（５２）は、前記測定報告パラメータのうちの１つが、セルごとに報告されるべき最大数のビーム測定値を示し、前記測定報告パラメータのうちの他の１つが、２つ以上の参照信号タイプのそれぞれについて別々に報告されるべき数量を示すかどうかを決定するように構成される、請求項１５または１６に記載の無線デバイス（５０）。
【請求項１８】
前記２つ以上の参照信号タイプは、チャネル状態情報参照シンボル（ＣＳＩ−ＲＳ）タイプ、および、同期信号／物理ブロードキャストチャネル（ＰＢＣＨ）タイプを含む、請求項１７に記載の無線デバイス（５０）。
【請求項１９】
ビーム測定を実行するように構成された無線デバイス（５０）の少なくとも１つの処理回路（５２）において実行されたときに、前記無線デバイス（５０）を、
測定値を報告するために前記無線デバイス（５０）を設定する測定報告パラメータを受信し、
サービングセルまたはサービング周波数における隣接セルに対応する１つ以上のサービング周波数のそれぞれに対して、維持されるべきビーム測定値の数を決定し、ここで、当該決定は、セルごとに報告されるべきビームの最大数を示す１つ以上の測定報告パラメータに基づき、
測定報告において報告するために、維持されるべきビーム測定値の前記対応する決定された数に従って、前記１つ以上のサービング周波数のそれぞれに対してビーム測定値を維持する、ように構成するプログラム命令を含むコンピュータプログラム（６６）を記憶する非一時的なコンピュータ可読記憶媒体（６４）。
【請求項２０】
ビーム測定を実行するように構成された無線デバイス（５０）の少なくとも１つの処理回路（５２）において実行されたときに、無線デバイス（５０）を、
測定値を報告するために無線デバイス（５０）を設定する測定報告パラメータを受信し、
１つ以上の周波数のそれぞれに対して、前記周波数に関連付けられた測定報告パラメータのうちの１つがセルごとに報告されるべき最大数のビーム測定値を示し、前記周波数に関連付けられた前記測定報告パラメータのうちの別の１つが報告されるべき数量を示すことを決定することに応答して、測定報告において報告するために、前記周波数に対するビームごとに少なくとも１つの測定値を維持する、ように構成するプログラム命令を含むコンピュータプログラム（６６）を記憶する非一時的なコンピュータ可読記憶媒体（６４）。
【請求項２１】
少なくとも１つの処理回路（５２）において実行されると、前記少なくとも１つの処理回路（５２）に、請求項１から１２のいずれか１項に記載の方法（４００、５００）を実行させる命令を含む、コンピュータプログラム（６６）。
【請求項２２】
請求項２１に記載のコンピュータプログラム（６６）を含むコンピュータ可読記憶媒体（６４）。
【国際調査報告】
2021520661.tif 000019
2021520661.tif 000020
2021520661.tif 000021
2021520661.tif 000022